(57)【要約】【課題】液晶表示装置を駆動する際の消費電力を低減する。【解決手段】電荷蓄積用コンデンサ２８の静電容量は、一本の信号電極と各走査電極とによって形成されるコンデンサの静電容量に比べて十分に大きい。選択期間内において、信号電極の電位をＶｃから−Ｖｃに切り替える場合には、電圧Ｖｃの出力端２７に接続されている信号電極を、一旦電荷蓄積用コンデンサ２８に接続させる。その後、その信号電極を電圧−Ｖｃの出力端２９に接続する。信号電極の電位を−ＶｃからＶｃに切り替える場合にも、その信号電極を一旦電荷蓄積用コンデンサ２８に接続してから電圧Ｖｃの出力端２７に接続する。【選択図】　図２
2004093951.tif 000002
【特許請求の範囲】
【請求項１】
複数の走査電極と複数の信号電極との間に液晶を挟持する液晶表示装置の駆動方法であって、
走査電極を選択しながら走査電極を走査する走査期間と、
全ての走査電極の電位を非選択時電位に設定するダミー期間とを設け、
走査期間では、走査電極を選択する各選択期間内で、オン表示とすべき画素が存在する信号電極の電位を所定のオン表示電位に維持し、オフ表示とすべき画素が存在する信号電極の電位を所定のオフ表示電位に維持し、オフ表示とオン表示との間の中間調とすべき画素が存在する信号電極の電位を選択期間の途中で切り替え、
選択期間の途中で信号電極の電位をオン表示電位またはオフ表示電位に切り替える場合には、前記信号電極を一旦所定のコンデンサに所定の接続時間だけ接続してからオン表示電位またはオフ表示電位に設定し、
ダミー期間では、個々の信号電極毎に、走査期間内で信号電極を前記コンデンサに接続した回数と前記接続時間との積に応じた期間だけ信号電極をオン表示電位またはオフ表示電位に設定し、残りのダミー期間の間、信号電極を前記コンデンサに接続する
ことを特徴とする液晶表示装置の駆動方法。
【請求項２】
走査期間では、走査電極を一本ずつ選択し、
選択した走査電極を第一の選択時電位または第二の選択時電位に設定し、
選択した走査電極を第一の選択時電位に設定する走査期間と、選択した走査電極を第二の選択時電位に設定する走査期間とで、非選択時電位を共通の電位とし、
選択した走査電極を第一の選択時電位に設定する走査期間と、選択した走査電極を第二の選択時電位に設定する走査期間とで、信号電極を接続する所定のコンデンサを共通のコンデンサとする
請求項１に記載の液晶表示装置の駆動方法。
【請求項３】
走査電極を一本ずつ選択し、
選択した走査電極を第一の選択時電位または第二の選択時電位に設定し、
走査期間中に、選択した走査電極を第一の選択時電位に設定する場合には、非選択行の走査電極の電位を第一の非選択時電位に設定し、中間調とすべき画素が存在する信号電極を第一の所定のコンデンサに接続してから第一のオン表示電位または第一のオフ表示電位に設定し、
選択した走査電極を第二の選択時電位に設定する場合には、非選択行の走査電極の電位を第二の非選択時電位に設定し、中間調とすべき画素が存在する信号電極を第二の所定のコンデンサに接続してから第二のオン表示電位または第二のオフ表示電位に設定し、
前記走査期間後のダミー期間では、個々の信号電極毎に、前記走査期間内で信号電極を第一の所定のコンデンサに接続した回数および第二の所定のコンデンサに接続した回数の和と所定の接続時間との積に応じた期間だけ信号電極を第一のオン表示電位、第一のオフ表示電位、第二のオン表示電位または第二のオフ表示電位のいずれかの電位に設定し、残りのダミー期間の間、信号電極を第一の所定のコンデンサまたは第二の所定のコンデンサに接続する
請求項１に記載の液晶表示装置の駆動方法。
【請求項４】
複数の走査電極と複数の信号電極との間に液晶を挟持する液晶表示装置の駆動方法であって、
走査電極を選択しながら走査電極を走査する走査期間と、
全ての走査電極の電位を非選択時電位に設定するダミー期間とを設け、
走査期間では、同時の三本の走査電極を選択し、選択した走査電極を第一の選択時電位または第二の選択時電位に設定し、各選択期間内で、オン表示またはオフ表示とすべき画素が存在する信号電極の電位を第一の信号電極電位または第二の信号電極電位に維持し、オフ表示とオン表示との間の中間調とすべき画素が存在する信号電極の電位を選択期間の途中で切り替え、
選択期間の途中で信号電極の電位を第一の信号電極電位または第二の信号電極電位に切り替える場合には、前記信号電極を一旦所定のコンデンサに所定の接続時間だけ接続してから第一の信号電極電位または第二の信号電極電位に設定し、ダミー期間では、個々の信号電極毎に、走査期間内で信号電極を前記コンデンサに接続した回数と前記接続時間との積に応じた期間だけ信号電極を第一の信号電極電位または第二の信号電極電位に設定し、残りのダミー期間の間、信号電極を前記コンデンサに接続する
ことを特徴とする液晶表示装置の駆動方法。
【請求項５】
階調を示す三行分の表示データから、１選択期間を分割したそれぞれの分割期間に対応する要素データを求め、
各分割期間に対応する三行分の要素データと所定の選択行列の列成分とを用いて信号電極の電位を各分割期間毎に算出し、
信号電極の電位を第一の信号電極電位または第二の信号電極電位とすべき分割期間の数に応じて、選択期間の途中で信号電極の電位を第一の信号電極電位または第二の信号電極電位に切り替えるタイミングを決定する
請求項４に記載の液晶表示装置の駆動方法。
【請求項６】
携帯機器に用いられる液晶表示装置を駆動する請求項１，２，３，４または５に記載の液晶表示装置の駆動方法。
【発明の詳細な説明】
【０００１】
【発明の属する技術分野】
本発明は、液晶表示装置の駆動方法に関し、特に消費電力を低減する液晶表示装置の駆動方法に関する。
【０００２】
【従来の技術】
液晶表示装置は、マンマシンインタフェース用の表示装置として広く利用されている。例えば、軽量で薄型の表示装置を実現できるという特徴を活かして、ＰＤＡ（Ｐｅｒｓｏｎａｌ　Ｄｉｇｉｔａｌ　Ａｓｓｉｓｔａｎｔｓ　）や携帯電話機等の表示装置として広く利用されている。
【０００３】
複数の走査電極と、走査電極に直交するように配置される複数の信号電極との間に液晶を挟持する液晶表示装置の駆動方法として、走査電極を一つずつ選択して選択した走査電極に所定の電圧を印加する線順次駆動法がある。線順次駆動法には、非選択行の走査電極の電位を一定にするＡＰＴ（Ａｌｔｏ　Ｐｌｅｓｈｋｏ　Ｔｅｃｈｎｉｑｕｅ）や、一定周期で非選択行の走査電極の電位を変化させるＩＡＰＴ（Ｉｍｐｒｏｖｅｄ　ＡＰＴ）等がある。また、線順次駆動法の他に、複数の走査電極を同時に選択する複数ライン同時選択法（マルチラインアドレッシング法：ＭＬＡ法）もある。
【０００４】
また、液晶表示装置に中間調の画像を表示する方法も種々存在する。中間調を表示する方法として、パルス幅変調方式（ＰＷＭ：Ｐｕｌｓｅ　Ｗｉｄｔｈ　Ｍｏｄｕｌａｔｉｏｎ）が知られている。ＰＷＭでは、選択期間の途中で、信号電極の電位を、オン表示にするための電位からオフ表示にするための電位に切り替えたり、逆にオフ表示にするための電位からオン表示にするための電位に切り替える。選択期間のうち、信号電極をオン表示にするための電位に設定した時間の割合によって、階調を変化させることができる。また、中間調を表示する方法として、ＰＷＭの他にパルス振幅変調方式（ＰＨＭ）やフレームレートコントロール（ＦＲＣ）等がある。また、ＰＷＭとＦＲＣとを複合させた方法も知られている。
【０００５】
液晶表示装置をＡＰＴで駆動し、ＰＷＭによって中間調表示を行う場合の例について説明する。ＡＰＴでは時間の経過に伴い、各走査電極を順次選択していく。そして、選択した走査電極の電位をＶｒ１に設定する。また、他の走査電極の電位をＶｒ１とは異なる所定の電圧ＶＭに設定する。また、各信号電極の電位は、選択行の画素の表示データに応じて設定される。点灯させるべき画素が存在する信号電極の電位はＶｃ２に設定され、その画素には選択時にＶｒ１−Ｖｃ２の電圧が印加される。点灯させるべき画素が存在しない信号電極の電位はＶｃ１に設定され、その画素には選択時にＶｒ１−Ｖｃ１の電圧が印加される。
【０００６】
また、中間調を表示すべき画素が存在する信号電極の電位は、選択期間の途中でＶｃ２からＶｃ１（またはＶｃ１からＶｃ２）に切り替えられる。その結果、その画素には、選択期間中の一部の期間にＶｒ１−Ｖｃ２の電圧が印加され、残りの期間にＶｒ１−Ｖｃ１の電圧が印加される。信号電圧の電位の切り替えタイミングを変化させることで、階調を変化させることができる。
【０００７】
このように信号電極の電位を設定することによって、選択行に所望の画像を表示することができる。ただし、電位Ｖｃ２，Ｖｃ１は、（Ｖｃ２＋Ｖｃ１）／２＝ＶＭ、かつ、Ｖｃ２＜ＶＭ＜Ｖｃ１＜Ｖｒ１を満足するように定められる。
【０００８】
また、選択した走査電極の電位と信号電極の電位との高低関係を一定周期毎に逆転させることが多い。選択した走査電極の電位が信号電極の電位より高くなるように駆動することを正極性駆動という。また、選択した走査電極の電位が信号電極の電位より低くなるように駆動することを負極性駆動という。負極性駆動で駆動する場合には、選択した走査電極の電位を所定の電位Ｖｒ２に設定する。ただし、電位Ｖｒ１，Ｖｒ２は、（Ｖｒ１＋Ｖｒ２）／２＝ＶＭとなるように定める。例えば、Ｖｒ２＝−Ｖｒ１、ＶＭ＝０Ｖとする。また、負極性駆動の場合、点灯させるべき画素が存在する信号電極の電位をＶｃ１に設定し、点灯させるべき画素が存在しない信号電極の電位をＶｃ２に設定すればよい。中間調を表示すべき画素が存在する信号電極の電位は選択期間の途中で切り替えられる。
【０００９】
図４０は、中間調を表示すべき画素が存在する信号電極に印加される電位の例を示す。ここでは、選択行の走査電極の電位をＶｒ１に設定する場合（すなわち、正極性駆動の場合）を例に説明する。また、いわゆるノーマリブラックの液晶表示装置（電圧が高くなるほど透過率が高くなる液晶表示装置）を駆動する場合を例に説明する。図４０に示す各期間（ａ）〜（ｈ）は、それぞれ選択期間Ｔｓである。図４０に示すように、ある信号電極の電位は、期間（ａ）として示す選択期間の前半でＶｃ１に設定され、後半でＶｃ２に設定されている。従って、この信号電極と選択された走査電極とに挟まれる画素は、選択期間の前半にＶｒ１−Ｖｃ１の電圧が印加され、後半ではＶｒ１−Ｖｃ２の電圧が印加される。そして、その画素は中間調で表示される。選択期間ＴｓにおけるＶｒ１−Ｖｃ１の印加時間が占める割合が大きくなれば、輝度が低下し、Ｖｒ１−Ｖｃ１の印加時間が占める割合が小さくなれば、輝度が上昇する。図４０に示す期間（ａ）では、選択期間Ｔｓの１５／３０の期間が経過したときに信号電極を切り替えて中間調表示を行う場合の例を示す。
【００１０】
なお、非選択行の走査電極の電位はＶＭに設定される。そして、ＶＭはＶｃ１，Ｖｃ２の平均電位である。従って、選択期間の途中で信号電極の電位を切り替えたとしても、非選択行の画素に印加される電圧の大きさは変化しない。よって、信号電極の電位の切り替えは非選択行の画素の表示に影響を与えない。
【００１１】
また、ＭＬＡを採用する場合の駆動方法が種々提案されている。例えば、特開２０００−２５８７５１公報には、信号電極の電位レベル数を減少することができるＭＬＡの駆動方法が記載されている。
【００１２】
【発明が解決しようとする課題】
図４０に示すように、中間調を表示すべき画素が存在する信号電極では、選択期間の途中に電位を切り替えなければならない。この電位の切り替え回数が多いと、消費電力が大きくなってしまう。この理由について説明する。一本の信号電極と各走査電極とがなすコンデンサの静電容量をＣｓとする。すると、信号電極の電位をＶｃ１からＶｃ２に切り替える場合、その信号電極からＣｓ・（Ｖｃ１−Ｖｃ２）の電荷を放出しなければならない。また、電位をＶｃ２からＶｃ１に切り替える場合、電源回路から信号電極に、新たにＣｓ・（Ｖｃ１−Ｖｃ２）の電荷を供給しなければならない。そのため、信号電極電位の切替回数が多くなれば電源回路から信号電極に供給すべき電荷も増大し、消費電力が大きくなってしまう。このことは、ＩＡＰＴやＭＬＡの場合でも同様である。
【００１３】
特開平９−２９７２９４号公報には、消費電力を少なくするＬＣＤの駆動方法が記載されている。この駆動方法では、図４１に示すように、選択期間を切り替えるときに信号電極の電位を切り替えないようにする。この駆動方法によれば、信号電極の電位を切り替える回数を減少させるので、図４０に例示する場合よりも消費電力を減少させることができる。
【００１４】
また、特願２００１−２４８３３８号や特願２００２−２２１８９３号では、ＭＬＡにＰＷＭを適用した場合に、消費電力を減少させることができる液晶表示装置の駆動方法が提案されている。
【００１５】
しかし、携帯機器（例えば携帯電話機やＰＤＡ等）に使用される液晶表示装置に対しては、より一層の低消費電力化が求められている。
【００１６】
そこで本発明は、消費電力をより低減できるようにすることを目的とする。
【００１７】
【課題を解決するための手段】
本発明の要旨は、複数の走査電極と複数の信号電極との間に液晶を挟持する液晶表示装置の駆動方法であって、セグメント側の駆動電圧を２レベルとし、ＰＷＭで階調表示を行い、選択期間中にセグメントの波形（レベル）を変化せしめる際に、コンデンサに接続するようにし、そして、コンデンサに接続することによる電圧不足を、ダミー期間を設けることによって補償することを特徴とするものである。
【００１８】
本発明の態様１は、複数の走査電極と複数の信号電極との間に液晶を挟持する液晶表示装置の駆動方法であって、走査電極を選択しながら走査電極を走査する走査期間と、全ての走査電極の電位を非選択時電位に設定するダミー期間とを設け、走査期間では、走査電極を選択する各選択期間内で、オン表示とすべき画素が存在する信号電極の電位を所定のオン表示電位に維持し、オフ表示とすべき画素が存在する信号電極の電位を所定のオフ表示電位に維持し、オフ表示とオン表示との間の中間調とすべき画素が存在する信号電極の電位を選択期間の途中で切り替え、選択期間の途中で信号電極の電位をオン表示電位またはオフ表示電位に切り替える場合には、その信号電極を一旦所定のコンデンサに所定の接続時間だけ接続してからオン表示電位またはオフ表示電位に設定し、ダミー期間では、個々の信号電極毎に、走査期間内で信号電極をコンデンサに接続した回数と接続時間との積に応じた期間だけ信号電極をオン表示電位またはオフ表示電位に設定し、残りのダミー期間の間、信号電極をコンデンサに接続することを特徴とする液晶表示装置の駆動方法を提供する。
【００１９】
本発明の態様２は、走査期間では、走査電極を一本ずつ選択し、選択した走査電極を第一の選択時電位または第二の選択時電位に設定し、選択した走査電極を第一の選択時電位に設定する走査期間と、選択した走査電極を第二の選択時電位に設定する走査期間とで、非選択時電位を共通の電位とし、選択した走査電極を第一の選択時電位に設定する走査期間と、選択した走査電極を第二の選択時電位に設定する走査期間とで、信号電極を接続する所定のコンデンサを共通のコンデンサとする液晶表示装置の駆動方法を提供する。
【００２０】
本発明の態様３は、走査電極を一本ずつ選択し、選択した走査電極を第一の選択時電位または第二の選択時電位に設定し、走査期間中に、選択した走査電極を第一の選択時電位に設定する場合には、非選択行の走査電極の電位を第一の非選択時電位に設定し、中間調とすべき画素が存在する信号電極を第一の所定のコンデンサに接続してから第一のオン表示電位または第一のオフ表示電位に設定し、選択した走査電極を第二の選択時電位に設定する場合には、非選択行の走査電極の電位を第二の非選択時電位に設定し、中間調とすべき画素が存在する信号電極を第二の所定のコンデンサに接続してから第二のオン表示電位または第二のオフ表示電位に設定し、走査期間後のダミー期間では、個々の信号電極毎に、走査期間内で信号電極を第一の所定のコンデンサに接続した回数および第二の所定のコンデンサに接続した回数の和と所定の接続時間との積に応じた期間だけ信号電極を第一のオン表示電位、第一のオフ表示電位、第二のオン表示電位または第二のオフ表示電位のいずれかの電位に設定し、残りのダミー期間の間、信号電極を第一の所定のコンデンサまたは第二の所定のコンデンサに接続する液晶表示装置の駆動方法を提供する。
【００２１】
本発明の態様４は、複数の走査電極と複数の信号電極との間に液晶を挟持する液晶表示装置の駆動方法であって、走査電極を選択しながら走査電極を走査する走査期間と、全ての走査電極の電位を非選択時電位に設定するダミー期間とを設け、走査期間では、同時の三本の走査電極を選択し、選択した走査電極を第一の選択時電位または第二の選択時電位に設定し、各選択期間内で、オン表示またはオフ表示とすべき画素が存在する信号電極の電位を第一の信号電極電位または第二の信号電極電位に維持し、オフ表示とオン表示との間の中間調とすべき画素が存在する信号電極の電位を選択期間の途中で切り替え、選択期間の途中で信号電極の電位を第一の信号電極電位または第二の信号電極電位に切り替える場合には、その信号電極を一旦所定のコンデンサに所定の接続時間だけ接続してから第一の信号電極電位または第二の信号電極電位に設定し、ダミー期間では、個々の信号電極毎に、走査期間内で信号電極をコンデンサに接続した回数と接続時間との積に応じた期間だけ信号電極を第一の信号電極電位または第二の信号電極電位に設定し、残りのダミー期間の間、信号電極をコンデンサに接続することを特徴とする液晶表示装置の駆動方法を提供する。
【００２２】
本発明の態様５は、階調を示す三行分の表示データから、１選択期間を分割したそれぞれの分割期間に対応する要素データを求め、各分割期間に対応する三行分の要素データと所定の選択行列の列成分とを用いて信号電極の電位を各分割期間毎に算出し、信号電極の電位を第一の信号電極電位または第二の信号電極電位とすべき分割期間の数に応じて、選択期間の途中で信号電極の電位を第一の信号電極電位または第二の信号電極電位に切り替えるタイミングを決定する液晶表示装置の駆動方法を提供する。
【００２３】
本発明の態様６は、携帯機器に用いられる液晶表示装置を駆動する液晶表示装置の駆動方法を提供する。
【００２４】
【発明の実施の形態】
以下、本発明の実施の形態を図面を参照して説明する。
［実施の形態１］第一の実施の形態について説明する。第一の実施の形態では、ＡＰＴを採用する。図１は、ＡＰＴを採用する場合の液晶表示装置の駆動装置の例を示すブロック図である。液晶セル１は、複数の走査電極と複数の信号電極との間に液晶を備える。各走査電極と各信号電極は互いに直交するように配置される。以下、液晶セル１がノーマリブラックの液晶表示装置である場合を例に説明する。
【００２５】
走査電極ドライバ２および信号電極ドライバ３は、それぞれ複数の電圧出力端子を有する。液晶セル１の個々の走査電極は、走査電極ドライバ２の個々の電圧出力端子と一対一に接続される。液晶セル１の個々の信号電極は、信号電極ドライバ３の個々の電圧出力端子と一対一に接続される。
【００２６】
走査電極ドライバ２は、走査電極を選択しながら全ての走査電極を走査するように液晶セル１を駆動する。ＡＰＴでは、選択した一本の走査電極を所定の電位に設定し、非選択行の走査電極の電位をＶＭ（非選択時電位）に設定する。ここでは、ＶＭ＝０Ｖであり、正極性駆動時において選択する走査電極を電位Ｖｒ（第一の選択時電位）に設定し、負極性駆動時において選択する走査電極を電位−Ｖｒ（第二の選択時電位）に設定する場合を例に説明する。
【００２７】
信号電極ドライバ３は、一本の走査電極の選択期間中、各信号電極の電位を、選択行の画素の表示データに応じた電位に設定する。正極性駆動時において信号電極ドライバ３は、選択行の画素のうち最高輝度（オン表示）とすべき画素が存在する信号電極の電位を−Ｖｃに設定し、最低輝度（オフ表示）とすべき画素が存在する信号電極の電位をＶｃに設定する。中間調を表示すべき画素が存在する信号電極の電位は、選択期間の途中でＶｃから−Ｖｃまたは−ＶｃからＶｃに切り替えられる。ただし階調が最高輝度に近いほど、電位を−Ｖｃに設定する期間を長くする。負極性駆動時において信号電極ドライバ３は、選択行の画素のうち最高輝度とすべき画素が存在する信号電極の電位をＶｃに設定し、最低輝度とすべき画素が存在する信号電極の電位を−Ｖｃに設定する。中間調を表示すべき画素が存在する信号電極の電位は、正極性駆動時と同様に、選択期間の途中でＶｃから−Ｖｃまたは−ＶｃからＶｃに切り替えられる。ただし階調が最高輝度に近いほど、電位をＶｃに設定する期間を長くする。ここで、−Ｖｒ＜−Ｖｃ＜ＶＭ＜Ｖｃ＜Ｖｒを満足しているものとする。
【００２８】
また、信号電極ドライバ３は、中間調を表示すべき画素が存在する信号電極の電位を切り替えるタイミングを特定するためのカウンタを備える。信号電極ドライバ３は、コントローラ２２から所定の信号（後述するＳＣＫ）が入力される度にカウンタのカウンタ値を１増加させる。信号電極ドライバ３は、このカウンタ値に応じて、中間調を表示すべき画素が存在する信号電極の電位を切り替える。以下、このカウンタ値をＳＣＫカウンタ値と記す。
【００２９】
電源回路２３は、信号電極ドライバ３に電圧Ｖｃ，−Ｖｃを供給する。Ｖｃ配線２４および−Ｖｃ配線２６は、それぞれ電圧Ｖｃ，−Ｖｃを信号電極ドライバ３に供給するための配線である。また、コンデンサ配線２５は、電源回路２３が備える所定のコンデンサ（後述する電荷蓄積コンデンサ）に各信号電極を接続するための配線である。また、電源回路２３は、走査電極ドライバ２に、電圧Ｖｒ，ＶＭ（０Ｖ），−Ｖｒを供給する。なお、図１では、走査電極ドライバ２に電圧を供給するための配線を一本に簡略化して示した。
【００３０】
図２は電源回路２３の例を示す説明図である。電源回路２３は、電圧Ｖｃの出力端２７と、電圧−Ｖｃの出力端２９とを備える。また、電源回路２３は電圧Ｖｒ，ＶＭ，−Ｖｒの出力端も備えるが、図２では省略した。電圧Ｖｃの出力端２７と電圧−Ｖｃの出力端２９には、それぞれ出力電圧を安定させるためのコンデンサ２７ａ，２９ａが設けられる。また、電源回路２３は、各信号電極が放出する電荷を蓄積し、また、各信号電極に電荷を供給するための電荷蓄積コンデンサ２８を備える。電荷蓄積コンデンサ２８は、コンデンサ配線２５を介して信号電極ドライバ３に接続される。電荷蓄積コンデンサ２８の一方の電極は接地される。
【００３１】
電荷蓄積コンデンサ２８の静電容量（Ｃ１とする。）は、液晶を挟持する一本の信号電極と各走査電極とが形成するコンデンサの静電容量Ｃｓの１０倍以上であることが好ましい。さらに好ましくは１００倍以上とする。Ｃ１がＣｓよりも十分大きいならば、時間が経過すると、電荷蓄積コンデンサ２８の接地されていない方の電極はほぼ一定の電位（ＶＭ）に収束する。この電極の電位がＶＭに収束する理由については後述する。また、Ｃ１がＣｓよりも十分に大きいと、電荷蓄積コンデンサ２８に接続される信号電極が切り替えられても、収束した電位はほとんど変化しない。以下の説明では、電荷蓄積コンデンサ２８の接地されていない方の電極の電位がＶＭであるものとして説明する。
【００３２】
メモリ２１は、各走査電極に対応する表示データを記憶する記憶領域と、コントローラ２２の制御に従って一行分の表示データ（Ｄａｔａ）を信号電極ドライバ３に出力する出力部（図示せず。）とを備える。コントローラ２２は、メモリ２１が出力すべき一行分のデータのアドレスを指定するメモリ制御信号をメモリ２１に出力する。メモリ２１が備える出力部は、メモリ制御信号によって指定されるアドレスに記憶する表示データを信号電極ドライバ３への出力データ領域にコピーする。
【００３３】
また、コントローラ２２は、信号電極ドライバ３に、ＣＬ（クロック信号）、ＦＲ、ＤＵＭ、ＳＣＫおよびＰＨを出力する。ＣＬは、選択する走査電極の切り換えを示すラッチパルスである。ＦＲは、正極性駆動にすべきか負極性駆動にすべきかを指示する信号である。ここでは、正極性駆動を指示する場合にＦＲをハイレベルにするものとする。ＤＵＭは、後述するダミー期間を指示するための信号である。ここでは、ダミー期間を指示する場合にＤＵＭをハイレベルにするものとする。ＳＣＫは、信号電極ドライバ３が備えるカウンタのＳＣＫカウンタ値を１増加させるための信号である。
【００３４】
ＰＨは、選択期間中に、中間調を表示すべき画素の印加電圧を高電圧から低電圧に切り替えるのか、低電圧から高電圧に切り替えるのかを指示する信号である。ここでは、高電圧から低電圧への切り替えを指示する場合にＰＨをハイレベルにするものとする。従って、ＦＲがハイレベル（正極性駆動）である場合、ＰＨがハイレベルならば中間調を表示すべき画素が存在する信号電極の電位を−ＶｃからＶｃに切り替え、ＰＨがローレベルならばＶｃから−Ｖｃに切り替える。また、ＦＲがローレベル（負極性駆動）である場合、ＰＨがハイレベルならば中間調を表示すべき画素が存在する信号電極の電位をＶｃから−Ｖｃに切り替え、ＰＨがローレベルならば−ＶｃからＶｃに切り替える。
【００３５】
また、コントローラ２２は、走査電極ドライバ２に、ＣＬと、ＦＲと、ＤＵＭと、１フレームの開始を示すＦＬＭ（ファーストラインマーカ）とを出力する。なお、コントローラ２２が走査電極ドライバ２に出力するＣＬをハイレベルにするタイミングと、信号電極ドライバ３に出力するＣＬをハイレベルにするタイミングとは異なる。以下の説明では、コントローラ２２が走査電極ドライバ２に出力するＣＬをＣＬ＿ＣＯＭと記し、信号電極ドライバ３に出力するＣＬをＣＬ＿ＳＥＧと記すことにより、両者を区別する。
【００３６】
図３は、コントローラ２２が各信号を出力するタイミングの例を示す説明図である。コントローラ２２は、ＦＲ，ＦＬＭ，ＤＵＭ，ＰＨ，ＣＬ＿ＣＯＭおよびＣＬ＿ＳＥＧのレベル切り替えを、ＳＣＫの立ち上がりに同期して行うようにする。ただし、ＳＣＫが立ち上がるときに、必ず他の各信号を切り替えるわけではない。図３に示すように、ＣＬ＿ＣＯＭが立ち下がるタイミング（ハイレベルからローレベルになるタイミング）で選択期間Ｔｓが開始する。従って、あるＣＬ＿ＣＯＭの立ち下がりタイミングから次のＣＬ＿ＣＯＭの立ち下がりタイミングまでが選択期間Ｔｓとなる。また、図３に示すように、ＣＬ＿ＣＯＭの立ち下がりタイミングよりも先にＦＲやＰＨを切り替え、ある選択期間の開始時（ＣＬ＿ＣＯＭの立ち下がりタイミング）ではその選択期間に応じたＦＲやＰＨが設定されているようにする。さらに、第一行の選択期間の開始時では、ＦＬＭがハイレベルに設定されているようにする。
【００３７】
ＦＲの切り替え周期（正極性駆動と負極性駆動の切り替え周期）は、選択期間以上である。図３では、１フレーム毎にＦＲを切り替える場合の例を示す。また、ＰＨの切り替え周期は、選択期間Ｔｓと等しい。
【００３８】
図３では、１フレーム期間の最後にダミー期間を設ける場合の例を示す。ダミー期間以外の期間（ＤＵＭがローレベルとなる期間）では、走査電極ドライバ２は、入力されるＦＲ，ＦＬＭおよびＣＬ＿ＣＯＭに従って走査電極を一本ずつ選択する。このとき、信号電極ドライバ３は選択行の画像データに応じて各信号電極の電位を設定する。一方、ダミー期間（ＤＵＭがハイレベルとなる期間）になると、走査電極ドライバ２は全ての走査電極の電位をＶＭに設定する。また、ダミー期間中、信号電極ドライバ３は、所定期間（例えば各行を一回ずつ選択して走査する期間）内における各信号電極への電位の設定状況に応じた駆動波形で各信号電極の電位を設定する。ダミー期間中における信号電極電位の波形については後述する。
【００３９】
また、コントローラ２２は、定期的にＳＣＫが立ち上がるようにＳＣＫを出力する。以下の説明では、ＳＣＫの立ち上がりタイミングから次のＳＣＫの立ち上がりタイミングまでの期間をＰＷＭ期間と記す。ＣＬ＿ＣＯＭをハイレベルにする期間およびＣＬ＿ＳＥＧをハイレベルにする期間は、それぞれＰＷＭ期間に等しい。また、コントローラ２２は、ＣＬ＿ＳＥＧをローレベルに切り替えるタイミングでＣＬ＿ＣＯＭをハイレベルに切り替えるようにＣＬ＿ＳＥＧおよびＣＬ＿ＣＯＭのレベルを切り替える。すなわち、ＣＬ＿ＣＯＭはＣＬ＿ＳＥＧを１ＰＷＭ期間遅らせた信号である。
【００４０】
信号電極ドライバ３のカウンタは、ＳＣＫが立ち上がったときにＣＬ＿ＳＥＧがハイレベルになっているならばＳＣＫカウンタ値を０に初期化する。ＳＣＫが立ち上がったときにＣＬ＿ＳＥＧがローレベルになっているならばＳＣＫカウンタ値を１増加する。また、信号電極ドライバ３は、各ＰＷＭ期間において、電位を変更すべき信号電極の電位を切り替えるように制御する。具体的には、信号電極ドライバ３は、ＳＣＫが立ち上がったときに新たなＰＷＭ期間に移行したと判断し、そのＰＷＭ期間において電位を変更すべき信号電極の電位を切り替える。ＳＣＫカウンタ値の更新および信号電極の電位の切り替えは、いずれもＳＣＫの立ち上がりタイミングにおいて行われる。ただし、信号電極ドライバ３は、ＳＣＫが立ち上がりタイミングで、更新前のＳＣＫカウンタ値を参照する。以下、信号電極ドライバ３が参照するＳＣＫカウンタ値を用いて各ＰＷＭ期間を表すことにする。例えば、ＳＣＫカウンタ値「ｘ」を参照するＰＷＭ期間をＰＷＭ期間「ｘ」と表す。ＰＷＭ期間「ｘ」では、ＳＣＫカウンタ値は「ｘ＋１」に更新される。すなわち、ＰＷＭ期間を示す番号として、更新されたＳＣＫカウンタ値よりも一つ前の値を用いる。なお、信号電極ドライバ３がＳＣＫカウンタ値の最大値を参照するＰＷＭ期間では、ＳＣＫカウンタ値は０に初期化される。従って、ＳＣＫカウンタ値の最大値をＸとすると、ＰＷＭ期間「Ｘ」ではＳＣＫカウンタ値は０になる。
【００４１】
図３を用いて、ＳＣＫカウンタ値の変化の具体例を説明する。コントローラ２２は、第一行の選択を開始する前にＣＬ＿ＳＥＧをハイレベルにする。このとき、コントローラ２２は、ＳＣＫの立ち上がりに同期してＣＬ＿ＳＥＧをハイレベルにする。このＳＣＫが立ち上がったときのＣＬ＿ＳＥＧはローレベルであるので、信号電極ドライバ３はＳＣＫカウンタ値を１増加させる。図３では、２９から３０に増加させている。
【００４２】
コントローラ２２は、次のＳＣＫの立ち上がりに同期してＦＲ，ＦＬＭ，ＰＨおよびＣＬ＿ＣＯＭをローレベルからハイレベルに切り替え、ＤＵＭおよびＣＬ＿ＳＥＧをハイレベルからローレベルに切り替える。このＳＣＫが立ち上がったときのＣＬ＿ＳＥＧはハイレベルであるので、信号電極ドライバ３はＳＣＫカウンタ値を０に初期化する。ただし、このＰＷＭ期間において、信号電極ドライバ３は、「０」に更新される前のＳＣＫカウンタ値「３０」を参照する。すなわち、このＰＷＭ期間はＰＷＭ期間「３０」である。また、このＰＷＭ期間では、まだＣＬ＿ＣＯＭは立ち下がっていない。このとき信号電極ドライバ３０は、各信号電極の電位を、ダミー時間内で設定すべき電位に設定している。
【００４３】
コントローラ２２は、次のＳＣＫの立ち上がりに同期してＣＬ＿ＣＯＭをハイレベルからローレベルに切り替える。このＳＣＫが立ち上がったときのＣＬ＿ＳＥＧはローレベルであるので、信号電極ドライバ３はＳＣＫカウンタ値を「１」に更新する。ただし、このＰＷＭ期間は、ＰＷＭ期間「０」である。ＣＬ＿ＣＯＭがローレベルになることによって、走査電極ドライバ２は、選択期間Ｔｓの開始を認識する。また、信号電極ドライバ３は、ＰＷＭ期間「０」を選択期間Ｔｓの開始タイミングとして認識する。信号電極ドライバ３は、ＰＷＭ期間「０」で電位を切り替えるべき信号電極の電位を切り替える。また、走査電極ドライバ２は、ＣＬ＿ＣＯＭがローレベルになったときのＦＬＭがハイレベルであるので１行目の走査電極を選択する。
【００４４】
コントローラ２２は、次のＳＣＫの立ち上がりに同期してＦＬＭをハイレベルからローレベルに切り替える。このＳＣＫが立ち上がったときのＣＬ＿ＳＥＧはローレベルであるので、信号電極ドライバ３はＳＣＫカウンタ値を「２」に更新する。ただし、このＰＷＭ期間は、ＰＷＭ期間「１」である。信号電極ドライバ３は、ＰＷＭ期間「１」で電位を切り替えるべき信号電極の電位を切り替える。ＦＬＭは、次のフレーム開始時までローレベルに維持される。
【００４５】
コントローラ２２は、一定期間毎にＳＣＫを立ち上げる。信号電極ドライバ３は、各ＰＷＭ期間で、電位を切り替えるべき信号電極があれば、その信号電極の電位を切り替える。また、選択期間終了前に、ＣＬ＿ＳＥＧおよびＣＬ＿ＣＯＭをそれぞれハイレベルに切り替える。このとき、ＣＬ＿ＳＥＧをＣＬ＿ＣＯＭより先に立ち上げ、ＣＬ＿ＳＥＧの立ち下がりタイミングでＣＬ＿ＣＯＭを立ち上げて、ＰＷＭ期間「０」が選択期間Ｔｓの開始時に設けられるようにする。コントローラ２２は、以後同様にＳＣＫを立ち上げ，ＣＬ＿ＳＥＧおよびＣＬ＿ＣＯＭのレベルを切り替えていく。
【００４６】
なお、コントローラ２２は、ＣＬ＿ＣＯＭをハイレベルにする度にＰＨのレベルを切り替える。また、ＤＵＭをローレベルに維持し、最終行の選択を終えたときにハイレベルになっているようにＤＵＭを切り替える。具体的には、最終行の選択させるためにＣＬ＿ＣＯＭをハイレベルにしたならば、次にＣＬ＿ＣＯＭをハイレベルにするタイミングでＤＵＭをローレベルに切り替える。
【００４７】
図４は、信号電極ドライバ３の構成例を示す説明図である。信号電極ドライバ３は、Ｖｃ配線２４に接続され電圧Ｖｃが供給される第一の配線１４と、コンデンサ配線２５に接続される第二の配線１５と、−Ｖｃ配線２６に接続され電圧−Ｖｃが供給される第三の配線１６とを備える。各信号電極は第一の配線１５から第三の配線１６のいずれかに接続される。信号電極が接続される配線が切り替えられると、その信号電極の電位も切り替えられる。接続の切り替えは、各信号電極と一対一に対応するスイッチ１１〜１３等によって行う。図４では、三つのスイッチを示すが、信号電極ドライバ３は各信号電極に対応するスイッチを備える。
【００４８】
信号電極ドライバ３は、選択期間開始時のＰＨおよびＦＲに基づいて、中間調を表示すべき画素が存在する信号電極の電位を切り替える。ただし、電位Ｖｃ（信号電極を第一の配線１４に接続させた状態）から電位−Ｖｃ（信号電極を第三の配線１６に接続させた状態）に切り替えるときには、その信号電極を第二の配線１５に接続させてから切り替える。電位−Ｖｃから電位Ｖｃに切り替える場合も同様である。信号電極を第二の配線１５に接続すると、その信号電極はコンデンサ配線２５を介して電荷蓄積コンデンサ２８に接続される。すると、その信号電極の電位はＶＭになる。従って、信号電極の電位をＶｃから−Ｖｃまたは−ＶｃからＶｃに切り替える場合、その信号電極の電位は一旦ＶＭとなってから−ＶｃまたはＶｃになる。
【００４９】
図５〜８は、選択期間内における信号電極の電位の波形パターンを示す説明図である。ただし、ＤＵＭはローレベルであるものとする。図５〜８では、全３２階調の表示を行う場合の例を示す。この場合、コントローラ２２は１選択期間に３１回ＳＣＫを出力し、信号電極ドライバ３のＳＣＫカウンタ値は１選択期間に０から３０までの間で変化する。
【００５０】
図５は、ＦＲとＰＨとがともにハイレベルである場合を示す。第０階調は最低輝度を表すので、信号電極ドライバ３は、第０階調とすべき信号電極の電位を選択期間中Ｖｃのままとする。また、第３１階調は最高輝度を表すので、信号電極ドライバ３は、第３１階調とすべき信号電極の電位を選択期間中−Ｖｃのままとする。第１階調から第３１階調までは中間調表示であり、低い階調ほど最低輝度に近い表示となる。信号電極ドライバ３は、選択期間開始時に、中間調とすべき各信号電極を第三の配線１６に接続し、その各信号電極の電位を−Ｖｃとする。そして、ＰＷＭ期間「１」になると、第１階調とすべき信号電極を第二の配線１５に接続する。すると、その信号電極はコンデンサ配線２５を介して電荷蓄積コンデンサ２８に接続され、その信号電極の電位は−ＶｃからＶＭに変化する。ＰＷＭ期間「２」になると、第１階調とすべき信号電極を第一の配線１４に接続する。すると、その信号電極はＶｃ配線２４を介して電圧Ｖｃの出力端２７に接続され、その信号電極の電位はＶＭからＶｃに変化する。ここでは、第１階調とすべき信号電極を例に説明したが、他の階調とすべき信号電極の電位も同様に切り替える。ただし、信号電極を第二の配線１５や第一の配線１４に接続するタイミングを規定するＰＷＭ期間は、階調毎に異なる。なお、第３０階調とすべき信号電極の電位は、ＰＷＭ期間「３０」でＶＭに変化し、その状態で選択期間Ｔｓが終了する。
【００５１】
図６は、ＦＲがハイレベルでありＰＨがローレベルである場合を示す。第０階調および第３１階調とすべき信号電極の電位は、図５に示す場合と同様である。信号電極ドライバ３は、選択期間開始時に、中間調（ただし、第３０階調は除く。）とすべき各信号電極を第一の配線１４に接続し、その各信号電極の電位をＶｃとする。また、第３０階調とすべき信号電極を第二の配線１５に接続し、その信号電極の電位をＶＭとする。ＰＷＭ期間「１」になると、第３０階調とすべき信号電極を第三の配線１６に接続する。すると、その信号電極は−Ｖｃ配線２６を介して電圧−Ｖｃの出力端２９に接続され、その信号電極の電位はＶＭから−Ｖｃに変化する。また、ＰＷＭ期間「１」になったとき、第２９階調とすべき信号電極を第二の配線１５に接続する。すると、その信号電極はコンデンサ配線２５を介して電荷蓄積コンデンサ２８に接続され、その信号電極の電位はＶｃからＶＭに変化する。ＰＷＭ期間「２」になると、第２９階調とすべき信号電極を第三の配線１６に接続する。すると、その信号電極は−Ｖｃ配線２６を介して電圧−Ｖｃの出力端２９に接続され、その信号電極の電位はＶＭから−Ｖｃに変化する。他の階調とすべき信号電極の電位も第２９階調とすべき信号電極の場合と同様に切り替える。ただし、信号電極を第二の配線１５や第三の配線１６に接続するタイミングを規定するＰＷＭ期間は、階調毎に異なる。
【００５２】
ＰＨの切り替え周期は選択期間Ｔｓと等しい。従って、正極性駆動時において、信号電極ドライバ３は、図５，６に示す二種類の波形パターンを選択期間毎に切り替えて各信号電極の電位を設定する。そして、図５に示すＰＷＭ期間「３０」のときの各設定電位は、第３０階調または第３１階調とすべき信号電極以外、いずれもＶｃである。また、図６に示すＰＷＭ期間「０」のときの各設定電位は、第３０階調または第３１階調とすべき信号電極以外、いずれもＶｃである。従って、ＰＨがハイレベルである選択期間からＰＨがローレベルとなる選択期間への切り替えタイミングでは、多くの信号電極で電位を切り替える必要がない。ＰＨがローレベルである選択期間からＰＨがハイレベルである選択期間への切り替えタイミングでも同様である。
【００５３】
図７は、ＦＲがローレベルでありＰＨがハイレベルである場合を示す。信号電極ドライバ３は、第０階調とすべき信号電極の電位を選択期間中−Ｖｃのままとする。また、第３１階調とすべき信号電極の電位を選択期間中Ｖｃのままとする。信号電極ドライバ３は、選択期間開始時に、中間調とすべき各信号電極を第一の配線１４に接続し、その各信号電極の電位をＶｃとする。そして、ＰＷＭ期間「１」になると、第１階調とすべき信号電極を第二の配線１５に接続する。すると、その信号電極はコンデンサ配線２５を介して電荷蓄積コンデンサ２８に接続され、その信号電極の電位はＶｃからＶＭに変化する。ＰＷＭ期間「２」になると、第１階調とすべき信号電極を第三の配線１６に接続する。すると、その信号電極は−Ｖｃ配線２６を介して電圧−Ｖｃの出力端２９に接続され、その信号電極の電位はＶＭから−Ｖｃに変化する。ここでは、第１階調とすべき信号電極を例に説明したが、他の階調とすべき信号電極の電位も同様に切り替える。ただし、信号電極を第二の配線１５や第三の配線１６に接続するタイミングを規定するＰＷＭ期間は、階調毎に異なる。なお、第３０階調とすべき信号電極の電位は、ＰＷＭ期間「３０」でＶＭに変化し、その状態で選択期間Ｔｓが終了する。
【００５４】
図８は、ＦＲとＰＨとがともにローレベルである場合を示す。第０階調および第３１階調とすべき信号電極の電位は、図７に示す場合と同様である。信号電極ドライバ３は、選択期間開始時に、中間調（ただし、第３０階調は除く。）とすべき各信号電極を第三の配線１６に接続し、その各信号電極の電位を−Ｖｃとする。また、第３０階調とすべき信号電極を第二の配線１５に接続し、その信号電極の電位をＶＭとする。ＰＷＭ期間「１」になると、第３０階調とすべき信号電極を第一の配線１６に接続する。すると、その信号電極はＶｃ配線２４を介して電圧Ｖｃの出力端２７に接続され、その信号電極の電位はＶＭからＶｃに変化する。また、ＰＷＭ期間「１」になったとき、第２９階調とすべき信号電極を第二の配線１５に接続する。すると、その信号電極はコンデンサ配線２５を介して電荷蓄積コンデンサ２８に接続され、その信号電極の電位は−ＶｃからＶＭに変化する。ＰＷＭ期間「２」になると、第２９階調とすべき信号電極を第一の配線１４に接続する。すると、その信号電極はＶｃ配線２４を介して電圧Ｖｃの出力端２７に接続され、その信号電極の電位はＶＭからＶｃに変化する。他の階調とすべき信号電極の電位も第２９階調とすべき信号電極の場合と同様に切り替える。ただし、信号電極を第二の配線１５や第一の配線１４に接続するタイミングを規定するＰＷＭ期間は、階調毎に異なる。
【００５５】
負極性駆動時において、信号電極ドライバ３は、図７，８に示す二種類の波形パターンを選択期間毎に切り替えて各信号電極の電位を設定する。そして、図７に示すＰＷＭ期間「３０」での各設定電位は、第３０階調または第３１階調とすべき信号電極以外、いずれも−Ｖｃである。また、図８に示すＰＷＭ期間「０」での各設定電位は、第３０階調または第３１階調とすべき信号電極以外、いずれも−Ｖｃである。従って、ＰＨがハイレベルである選択期間からＰＨがローレベルとなる選択期間への切り替えタイミングでは、多くの信号電極で電位を切り替える必要がない。ＰＨがローレベルである選択期間からＰＨがハイレベルである選択期間への切り替えタイミングでも同様である。
【００５６】
図５〜８に示す波形パターンで各信号電極の電位を設定した場合、１選択期間中に選択行の画素に印加される実効電圧の平均値は、階調によって異なる。表１は、１選択期間中に選択行の画素に印加される実効電圧の平均値を階調毎にまとめたものである。ただし、第３階調から第２７階調については省略した。また、各信号電極には、図５〜８に示す波形パターンで電位を設定しているものとする。
【００５７】
【表１】
2004093951.tif 000003
【００５８】
表１に示すように、１選択期間中に選択行の画素に印加される実効電圧の平均値は、高い階調ほど上昇する。
【００５９】
次に、信号電極の電位をＶｃからＶＭを経て−Ｖｃに変化させるときの電荷の移動について説明する。第一の配線１４に接続されている信号電極を第二の配線１５に接続すると、その信号電極の電位はＶｃからＶＭに変化する。このとき、信号電極は、電圧−Ｖｃの出力端２９に電荷を放出せず、Ｃｓ・（Ｖｃ−ＶＭ）の電荷を電荷蓄積コンデンサ２８に移動させる。電荷蓄積コンデンサ２８はこの電荷を蓄積する。続いて、その信号電極を第三の配線１６に接続すると、信号電極は、電圧−Ｖｃの出力端２９にＣｓ・（Ｖｃ−ＶＭ）の電荷を放出する。そして、信号電極の電位は−Ｖｃとなる。このように電位ＶＭの信号電極からＣｓ・（Ｖｃ−ＶＭ）の電荷を放出して電位を−Ｖｃにすればよく、電位Ｖｃの信号電極から２・Ｃｓ・（Ｖｃ−ＶＭ）の電荷を放出させて信号電極の電位を−Ｖｃにする必要はない。従って、電圧−Ｖｃの出力端２９に放出する電荷は少なくて済む。
【００６０】
また、第三の配線１６に接続されている信号電極を第二の配線１５に接続すると、その信号電極の電位は−ＶｃからＶＭに変化する。このとき、電圧Ｖｃの出力端２７は信号電極に電荷を供給せず、電荷蓄積コンデンサ２８が信号電極にＣｓ・（Ｖｃ−ＶＭ）の電荷を供給する。続いて、その信号電極を第一の配線１４に接続すると、電圧Ｖｃの出力端２７は信号電極にＣｓ・（Ｖｃ−ＶＭ）の電荷を供給し、信号電極の電位はＶＭからＶｃに変化する。このように電位ＶＭの信号電極にＣｓ・（Ｖｃ−ＶＭ）の電荷を供給して電位をＶｃにすればよく、電位−Ｖｃの信号電極に２・Ｃｓ・（Ｖｃ−ＶＭ）の電荷を供給して電位をＶｃにする必要はない。従って、電圧Ｖｃの出力端２７から供給すべき電荷は少なくなる。
【００６１】
従来の駆動方法では、信号電極の電位をＶｃから−Ｖｃ（または−ＶｃからＶｃ）に変化させるとき、信号電極を一旦電荷蓄積コンデンサに接続していなかった。本発明のように電荷蓄積コンデンサを用いると、従来の駆動方法に比べて、中間調表示のために電圧−Ｖｃの出力端２９に放出される電荷は約１／２になる。また、中間調表示のために電圧Ｖｃの出力端２７から供給すべき電荷も約１／２になる。ただし、ここでは信号電極ドライバ３のスイッチの駆動等に必要な電力は考慮していない。
【００６２】
このように、電圧−Ｖｃの出力端２９に放出される電荷や電圧Ｖｃの出力端２７から供給すべき電荷を少なくすることができるので、消費電力は低減される。また、選択期間が切り替わるタイミングでは、多くの信号電極で電位を切り替える必要がない。従って、選択期間が切り替わるタイミングで生じる消費電力も低減することができる。
【００６３】
次に、ダミー期間の必要性およびダミー期間中における信号電極電位の波形について説明する。まず、図５〜８に示す波形パターンを用いて図９に示す画像を表示する場合の表示品位を検討する。ただし、走査電極の本数はＮ本であり、第ｘ行の走査電極を＃ｘと表すものとする。また、液晶表示装置はいわゆるノーマリブラックの液晶パネルであるとする。すなわち、電圧が高くなるほど透過率が高くなるものとする。第一の信号電極５０１と＃１〜＃Ｎとが交差する領域は白色で表示する。第二の信号電極５０２と＃１〜＃ｍとが交差する領域は中間調（例えば第１５階調）で表示し、第二の信号電極５０２と＃ｍ＋１〜＃Ｎとが交差する領域は白色で表示する。第三の信号電極５０３そ＃１〜＃ｎとが交差する領域は中間調で表示し、第三の信号電極５０３そ＃ｎ＋１〜＃Ｎとが交差する領域は白色で表示する。なお、１＜ｍ＜ｎ＜Ｎであり、ｍ，ｎおよびＮは整数である。また、＃１から＃Ｎまで順番に選択していくものとする。さらに、ＰＷＭ期間は、Ｔｓ／３１であるものとする。
【００６４】
＃Ｎとそれぞれの信号電極との交差部に存在する画素５０４〜５０６に着目する。＃１から＃Ｎ−１までを選択する期間中、＃Ｎの電位はＶＭ（０Ｖ）に保たれる。この期間中、第一の信号電極の電位はＶｃ（または−Ｖｃ）に保たれる。従って、＃１から＃Ｎ−１までを選択する期間中、第一の信号電極上の画素５０４に印加される実効電圧はＶｃである。
【００６５】
第二の信号電極５０２と＃１〜＃ｍとが交差する領域は中間調表示とするので、＃１から＃ｍまでを選択する期間中、第二の信号電極５０２の電位をＶＭにする期間がｍ・（Ｔｓ／３１）だけ存在する。その後、＃ｍ＋１から＃Ｎ−１までを選択する期間中、第二の信号電極の電位はＶｃ（または−Ｖｃ）に保たれる。この場合、＃１から＃Ｎ−１までを選択する期間中、第二の信号電極上の画素５０５に印加される実効電圧はＶｃより低くなる。
【００６６】
また、＃１から＃ｎまでを選択する期間中、第三の信号電極５０３の電位をＶＭにする期間がｎ・（Ｔｓ／３１）だけ存在する。従って、＃１から＃Ｎ−１までを選択する期間中、第三の信号電極上の画素５０６に印加される実効電圧はさらに低くなる。
【００６７】
第一の信号電極上の画素５０４、第二の信号電極上の画素５０５および第三の信号電極上の画素５０６は、いずれも白色表示とすべき画素である。しかし、＃１から＃Ｎ−１までを選択する期間に印加される実効電圧がそれぞれ異なるため輝度が異なってしまう。このような輝度の不一致は、他の行においても生じる。この結果、白色表示領域の輝度が各列毎に異なり、表示品位が低下してしまう。このような輝度の不一致（クロストーク）をなくすため、各信号電極毎に実効電圧不足を補うための期間を設ける必要がある。本発明では、実効電圧不足を補うための期間としてダミー期間を設けた。
【００６８】
１選択期間中に、中間調表示とすべき一本の信号電極の電位をＶＭとする期間はＰＷＭ期間である。所定期間中（例えば、各走査電極を１回ずつ選択する期間中）、信号電極の電位をＶｃまたは−Ｖｃのいずれかのみに設定すれば、非選択行の画素に印加される実効電圧は統一される。従って、個々の信号電極毎に、所定期間内において電位をＶｃまたは−Ｖｃとすることができなかった期間（すなわち電位をＶＭとした期間）だけ、別途電位をＶｃまたは−Ｖｃに設定すれば、非選択行の画素に印加される実効電圧を統一することができ、表示品位の低下を防げる。ここで、所定期間内において電位をＶＭにした期間とは、所定期間内に一本の信号電極を第二の配線１５に接続させた回数とＰＷＭ期間との積である。なお、信号電極ドライバ３は、所定期間内に信号電極を第二の配線１５に接続させた回数を信号電極毎に記憶しておく。
【００６９】
図１０は、ダミー期間での信号電極電位の例を示す説明図である。図９に示した第一の信号電極５０１は、常にＶｃまたは−Ｖｃに設定される。従って、図１０に示すように、ダミー期間中、電位をＶＭにしたままでよい。また、所定期間（＃１から＃Ｎまでを１回ずつ選択する期間）中、図９に示した第二の信号電極５０２は第二の配線１５にｍ回接続される。従って、ダミー期間のうち、ＰＷＭ期間のｍ倍、すなわちｍ×（Ｔｓ／３１）の期間だけ、第二の信号電極を第一の配線１４に接続し、電位をＶｃに設定する。さらにその期間の経過後、第二の信号電極を電荷蓄積コンデンサ２８に接続し、その電位をＶＭに設定する。また、所定期間中、図９に示した第三の信号電極５０３は第二の配線１５にｎ回接続される。従って、ダミー期間のうち、ＰＷＭ期間のｎ倍、すなわちｎ×（Ｔｓ／３１）の期間だけ、第三の信号電極を第一の配線１４に接続し、電位をＶｃに設定する。さらにその期間の経過後、第三の信号電極を電荷蓄積コンデンサ２８に接続し、その電位をＶＭに設定する。このように、ダミー期間では、個々の信号電極に応じた時間だけ各信号電極の電位をＶｃに設定する。
【００７０】
ダミー期間の長さは、ＰＷＭ期間に走査電極数を乗じた期間よりも長く設定される。各走査電極を１回ずつ選択する所定期間において、一本の信号電極を第二の配線に接続する回数の最大値は走査電極数に等しいからである。例えば、ＰＷＭ期間がＴｓ／３１であり、走査電極数が１６０本の場合、ダミー期間の長さを、１６０・（Ｔｓ／３１）≒５．２・Ｔｓ以上とする。この場合、小数点以下を切り上げて６・Ｔｓとしてもよい。
【００７１】
また、信号電極の電位を第二の配線１５に接続させた状態から、第一の配線１４または第三の配線１６に接続させた状態に切り替える場合、瞬間的に電位がＶｃまたは−Ｖｃに変化するわけではない。すなわち、液晶を挟持する電極によって形成されるコンデンサの静電容量や電極の抵抗の存在により、完全な矩形波状に電位が変化するわけでななく、電位変化にわずかながら時間がかかる。そのため、実際には、１選択期間内で電位をＶｃまたは−Ｖｃにすることができない期間はＰＷＭ期間よりも若干長くなる。従って、ＰＷＭ期間に走査電極数を乗じた期間よりも長く設定してもよい。そして、ダミー期間では、所定期間内に一本の信号電極を第二の配線１５に接続させた回数とＰＷＭ期間との積より長い時間、信号電極の電位をＶｃに設定してもよい。例えば、ダミー時間では、所定期間内に一本の信号電極を第二の配線１５に接続させた回数とＰＷＭ期間との積の１．２倍の期間、信号電極の電位をＶｃに設定してもよい。１選択期間内で電位をＶｃまたは−Ｖｃにすることができない期間がＰＷＭ期間よりも若干長くなることを考慮して、ダミー期間中における電位Ｖｃの設定時間を定めれば、クロストークを一層改善することができる。
【００７２】
図１０では、ダミー期間中、信号電極の電位をＶｃに設定する場合を示したが、信号電極を第三の配線１６に接続して、信号電極の電位を−Ｖｃに設定してもよい。ダミー期間に信号電極に設定する電位を、定期的にＶｃと−Ｖｃとに切り替えてもよい。例えば、１フレームあるいは数フレームごとに切り替えてもよい。または、正極性駆動とするフレームではＶｃに設定し、負極性駆動とするフレームでは−Ｖｃに設定するように定めてもよい。
【００７３】
また、図３では、ＦＲを１フレーム毎に切り替える場合を示したが、ＦＲの切り替え周期は、１フレームに限定されない。各行を順次選択していく途中でＦＲを切り替えてもよい。この場合であっても、ダミー期間中に信号電極の電位をＶｃまたは−Ｖｃに設定する期間は、所定期間内に一本の信号電極を第二の配線１５に接続させた回数とＰＷＭ期間との積に応じた期間として定めればよい。さらに、ダミー期間中にＦＲを切り替えてもよい。この場合、信号電極の電位をＶｃ，Ｖｃのいずれにするかは、ダミー期間内におけるＦＲに応じて決定してもよい。例えば、ダミー期間のうちＦＲがハイレベルであるときには、信号電極の電位をＶｃとし、ローレベルに切り替わったときにはその電位を−Ｖｃに切り替えてもよい。
【００７４】
また、図１０では、１フレームの最後にダミー期間を設ける場合を示したが、１フレーム内でダミー期間を分散させてもよい。例えば、Ｘ行目までの選択が終了したときに一旦ダミー期間を設け、残りの行の選択が終了したときに再度ダミー期間を設けるようにしてもよい。また、複数フレーム（例えば２フレーム）分のダミー期間を一つにまとめて設けてもよい。すなわち、各走査電極を１回ずつ選択する期間以外の期間を所定期間として定め、その後にダミー期間を設けるようにしてもよい。ダミー期間内において個々の信号電圧の電位をＶｃまたは−Ｖｃにすべき期間は、その所定期間内で、個々の信号電極を第二の配線１５に接続させた回数とＰＷＭ期間との積によって定まる。
【００７５】
次に、電荷蓄積コンデンサ２８の接地されていない方の電極の電位がＶＭに収束する理由について説明する。既に述べたように、電荷蓄積コンデンサ２８の静電容量Ｃ１は、一本の信号電極と各走査電極とがなすコンデンサの静電容量Ｃｓに比べ十分大きいものとする。
【００７６】
ある時点において、電荷蓄積コンデンサ２８の接地されていない方の電極の電位がＶｘであったとする。その後、電位Ｖｃの信号電極が電荷蓄積コンデンサ２８に接続されると、その信号電極から電荷蓄積コンデンサ２８にＣ１・（Ｖｃ−Ｖｘ）の電荷が移動する。一方、電位−Ｖｃの信号電極が電荷蓄積コンデンサ２８に接続された場合には、電荷蓄積コンデンサ２８からその信号電極にＣ１・（Ｖｃ＋Ｖｘ）の電荷が移動する。電位Ｖ・の信号電極が電荷蓄積コンデンサ２８に接続される回数と、電位−Ｖｃの信号電極が電荷蓄積コンデンサ２８に接続される回数とは等しい。従って、電荷蓄積コンデンサ２８の接地されていない方の電極の電位Ｖｘは、信号電極から供給される電荷と、信号電極に供給する電荷とが等しくなる電位で安定する。従って、Ｖｘ＝０Ｖ、すなわちＶＭとなる。
【００７７】
電荷蓄積コンデンサ２８の接地されていない方の電極の電位の初期値がＶＭより大きい場合、信号電極から電荷蓄積コンデンサ２８に流れ込む電荷量よりも、電荷蓄積コンデンサ２８から信号電極に移動する電荷量の方が多くなる。その結果、電荷蓄積コンデンサ２８の接地されていない方の電極の電位はＶＭに近づく。また、電荷蓄積コンデンサ２８の接地されていない方の電極の電位の初期値がＶＭより小さい場合、信号電極から電荷蓄積コンデンサ２８に流れ込む電荷量の方が、電荷蓄積コンデンサ２８から信号電極に移動する電荷量よりも多くなる。その結果、電荷蓄積コンデンサ２８の接地されていない方の電極の電位はＶＭに近づく。
【００７８】
また、選択期間内における信号電極の電位の波形パターンは、図５〜８に示す波形パターンに限定されない。図１１〜１４は、他の波形パターンの例を示す。図１１は、ＦＲとＰＨとがともにハイレベルである場合の波形パターンの例を示す。図１１に示す波形パターンでは、中間調とすべき信号電極を第二の配線１５に接続する期間（電位をＶＭにする期間）を、図５に示す場合よりも１ＰＷＭ期間分だけ早めている。図１２は、ＦＲがハイレベルでありＰＨがローレベルである場合の波形パターンの例を示す。図１２に示す波形パターンでは、中間調とすべき信号電極を第二の配線１５に接続する期間（電位をＶＭにする期間）を、図６に示す場合よりも１ＰＷＭ期間分だけ遅らせている。
【００７９】
また、図１３は、ＦＲがローレベルでありＰＨがハイレベルである場合の波形パターンの例を示す。図１３に示す波形パターンでは、中間調とすべき信号電極を第二の配線１５に接続する期間（電位をＶＭにする期間）を、図７に示す場合よりも１ＰＷＭ期間分だけ早めている。図１４は、ＦＲとＰＨとがともにローレベルである場合の波形パターンの例を示す。図１４に示す波形パターンでは、中間調とすべき信号電極を第二の配線１５に接続する期間（電位をＶＭにする期間）を、図８に示す場合よりも１ＰＷＭ期間分だけ遅らせている。
【００８０】
信号電極の電位の波形パターンとして、図５〜８に示す波形パターンの組み合わせのみを採用してもよい。また、図１１〜１４に示す波形パターン組み合わせのみを採用してもよい。あるいは、この二種類の組み合わせを１フレーム毎に交互に切り替えてもよい。例えば、あるフレームで図５，６に示す波形パターンを採用し、その次のフレームで図１３，１４に示す波形パターンを採用してもよい。また、この二種類の組み合わせを１選択期間毎に交互に切り替えてもよい。例えば、ある選択期間で図５（または図７）に示す波形パターンを採用し、その次の選択期間で図１２（または図１４）に示す波形パターンを採用してもよい。
【００８１】
本実施の形態において、個々の信号電極を電荷蓄積コンデンサに接続する期間はＰＷＭ期間と異なっていてもよい。この場合、信号電極ドライバ３は、ＰＷＭ期間とは異なる期間ごとに、ＳＣＫとは異なる信号を出力する。この信号をＳＣＫｓｕｂとする。信号電極ドライバ３は、ＳＣＫ入力時にカウントアップするためのカウンタとは別に、ＳＣＫｓｕｂが入力されたときにカウントアップするためのカウンタを備え、ＳＣＫｓｕｂが入力される度にそのカウンタ値を更新する。ＳＣＫカウンタ値を０に初期化するときに、ＳＣＫｓｕｂのカウンタ値も０に初期化するものとする。また、信号電極ドライバ３は、ＳＣＫｓｕｂの立ち上がりタイミングで、ＳＣＫｓｕｂのカウンタ値を参照する。ただし、信号電極ドライバ３は、更新前のＳＣＫｓｕｂのカウンタ値を参照する。信号電極ドライバ３は、参照したＳＣＫカウンタ値およびＳＣＫｓｕｂのカウンタ値が所定の値になった場合に、信号電極を電荷蓄積コンデンサ２８に接続すればよい。
【００８２】
図１５は、信号電極ドライバ３が参照するＳＣＫカウンタ値およびＳＣＫｓｕｂのカウンタ値の例を示す。信号電極ドライバ３は、例えば、ＳＣＫカウンタ値およびＳＣＫｓｕｂのカウンタ値が、それぞれ１，３になったときに、第１階調とすべき信号電極を電荷蓄積コンデンサ２８に接続すればよい。本例では、信号電極を電荷蓄積コンデンサ２８に接続する期間は、ＰＷＭ期間の１／３となる。
【００８３】
ただし、中間調とすべき個々の信号電極を１選択期間内で第二の配線１５に接続する期間は、少なくとも一本の信号電極の時定数（各信号電極の抵抗ＲとＣｓとの積）の１／２以上に設定される。信号電極を第二の配線１５に接続する期間をこのように定めることによって、電荷が電荷蓄積コンデンサ２８と信号電極との間を移動する時間を確保することができる。
【００８４】
本発明の駆動方法では、信号電極に供給すべき電荷や信号電極から放出される電荷を低減させている。併せて、走査電極に供給すべき電荷や信号電極から放出される電荷も低減させて、さらに消費電力を低減させることもできる。図１６は、走査電極に供給すべき電荷や走査電極から放出される電荷も低減することができる電源回路２３および走査電極ドライバ２の構成を示す。ただし、図１６では、電圧Ｖｃの出力端、電圧−Ｖｃの出力端および電荷蓄積コンデンサの図示を省略した。
【００８５】
図１６に示す電源回路２３は、電圧Ｖｒの出力端１２７と、電圧ＶＭの出力端１２８と、電圧−Ｖｒの出力端１２９とを備える。各電圧の出力端１２７〜１２９には、それぞれ出力電圧を安定させるためのコンデンサ１２７ａ〜１２９ａが設けられる。また、電源回路２３は、電圧Ｖｒの出力端１２７に対応するＶｒ用コンデンサ１３２とＶｒ用スイッチ１３０とを備える。同様に、電圧−Ｖｒの出力端１２９に対応する−Ｖｒ用コンデンサ１３３と−Ｖｒ用スイッチ１３１とを備える。
【００８６】
走査電極ドライバ２は、電圧Ｖｒが供給される第一の配線１１４と、電圧ＶＭが供給される第二の配線１１５と、電圧−Ｖｒが供給される第三の配線１１６とを備える。各走査電極は第一の配線１１４から第三の配線１１６のいずれかに接続される。走査電極が接続される配線が切り替えられると、その走査電極の電位も切り替えられる。接続の切り替えは、各走査電極と一対一に対応するスイッチ１１１〜１１３等によって行う。スイッチ１１１〜１１３は、それぞれ第一行から第三行の走査電極に接続される。図１６では、第一行から第三行に対応するスイッチを示すが、走査電極ドライバ２は各行に対応するスイッチを備える。
【００８７】
コントローラ２２は、Ｖｒ用スイッチ１３０および−Ｖｒ用スイッチ１３１の切り替えを制御する信号（以下、ＳＨＡＲＥと記す。）を電源回路２３に出力する。Ｖｒ用スイッチ１３０は、ＳＨＡＲＥに応じて第一の配線１１４の接続先を電圧Ｖｒの出力端１２７またはＶｒ用コンデンサ１３２に切り替える。同様に、−Ｖｒ用スイッチ１３１は、ＳＨＡＲＥに応じて第三の配線１１６の接続先を電圧−Ｖｒの出力端１２９または−Ｖｒ用コンデンサ１３３に切り替える。ここでは、ＳＨＡＲＥがハイレベルのときに、第一の配線１１４と第三の配線１１６の接続先をそれぞれＶｒ用コンデンサ１３２、−Ｖｒ用コンデンサ１３３に切り替える場合を例に説明する。この場合、ＳＨＡＲＥがローレベルになると、第一の配線１１４と第三の配線１１６の接続先をそれぞれＶｒの出力端１２７、−Ｖｒの出力端１２９に切り替える。なお、第二の配線１１４は、電圧ＶＭの出力端２８に接続される。
【００８８】
コントローラ２２は、選択期間Ｔｓの最初の所定期間Ｔｒと最後の所定期間ＴｒにおいてＳＨＡＲＥをハイレベルとし、他の期間ではＳＨＡＲＥをローレベルにする。この所定期間Ｔｒの長さは、少なくとも一本の走査電極の時定数（各走査電極の抵抗ＲとＣｒとの積）の１／２以上に設定される。
【００８９】
走査電極ドライバ２は、正極性駆動時には、選択行に対応するスイッチを第一の配線１１４に接続し、他の行に対応するスイッチを第二の配線１１５に接続する。また、負極性駆動時には、選択行に対応するスイッチを第三の配線１１６に接続し、他の行に対応するスイッチを第二の配線１１５に接続する。ただし、走査電極ドライバ２は、ダミー期間中、全てのスイッチを第二の配線１１５に接続し、各走査電極の電位をＶＭに設定する。
【００９０】
Ｖｒ用コンデンサ３２および−Ｖｒ用コンデンサ３３の静電容量（Ｃ０とする。）は、一本の走査電極と各信号電極とが形成するコンデンサの静電容量Ｃｒの１０倍以上であることが好ましい。さらに好ましくは１００倍以上とする。Ｃ０がＣｒよりも十分大きいならば、時間が経過すると、Ｖｒ用コンデンサ１３２のスイッチ側電極はほぼ一定の電位（Ｖｒ／２）に収束する。同様に、−Ｖｒ用コンデンサ１３３のスイッチ側電極もほぼ一定の電位（−Ｖｒ／２）に収束する。また、Ｃ０がＣｒよりも十分大きいと、Ｖｒ用スイッチ１３０や−Ｖｒ用スイッチ１３１によって第一の配線や第三の配線の接続先が切り替えられても、収束した電位はほとんど変化しない。以下の説明では、Ｖｒ用コンデンサ１３２と−Ｖｒ用コンデンサ１３３のスイッチ側電極がそれぞれＶｒ／２、−Ｖｒ／２であるものとして説明する。
【００９１】
次に、各走査電極の電位の変化について説明する。ここでは正極性駆動を行うものとする。コントローラ２２が第一行の選択期間の開始を指示するＣＬ＿ＣＯＭを出力したとする。コントローラ２２は、この選択期間Ｔｓの開始後、所定期間Ｔｒの間ＳＨＡＲＥをハイレベルにする。走査電極ドライバ２は、ＣＬ＿ＣＯＭの立ち下がりタイミングで、第一行走査電極を第一の配線１１４に接続させ、他の信号電極を第二の配線１１５に接続させる。また、ＳＨＡＲＥがハイレベルの間、Ｖｒ用スイッチ１３０は、第一の配線１１４をＶｒ用コンデンサ１３２に接続する。すると、Ｖｒ用コンデンサ１３２から第一行走査電極にＣｒ・（Ｖｒ／２）の電荷が移動し、第一行走査電極の電位はＶｒ／２に変化する。このとき、電圧Ｖｒの出力端１２７は電荷を供給しない。また、非選択行の走査電極の電位はＶＭになる。
【００９２】
所定期間Ｔｒが経過すると、Ｖｒ用スイッチ１３０は、第一の配線１１４を電圧Ｖｒの出力端１２７に接続する。すると、電圧Ｖｒの出力端１２７は、第一行走査電極にＣｒ・（Ｖｒ／２）の電荷を供給し、第一行走査電極の電位はＶｒに変化する。選択期間Ｔｓの最後の所定期間Ｔｒにおいて、コントローラ２２は再びＳＨＡＲＥをハイレベルにする。すると、Ｖｒ用スイッチ１３０は、第一の配線１１４をＶｒ用コンデンサ１３２に接続する。すると、第一行走査電極からＶｒ用コンデンサ１３２にＣｒ・（Ｖｒ／２）の電荷が移動し、第一行走査電極の電位はＶｒ／２に変化する。このとき、第一行走査電極から電圧ＶＭの出力端１２８に電荷が放出されることはない。
【００９３】
さらに、走査電極ドライバ２は、次の選択期間の開始時に、第一行走査電極を第二の配線１１５に接続する。すると、第一行の走査電極から電圧ＶＭの出力端１２８にＣｒ・（Ｖｒ／２）の電荷が放出され、第一行走査電極の電位はＶＭに変化する。ここでは、第一行走査電極を例に説明したが、他の走査電極の電位も同様に変化する。
【００９４】
電圧Ｖｒの出力端１２７から電位ＶＭの走査電極に電荷を供給して、電位をＶｒにしなければならないとすると、電圧Ｖｒの出力端１２７はＣｒ・Ｖｒの電荷を供給しなければならない。しかし、走査電極をＶｒ用コンデンサ１３２に接続して電位をＶｒ／２に上昇させた後に、電圧Ｖｒの出力端１２７から電荷を供給すると、電圧Ｖｒの出力端１２７が供給すべき電荷はＣｒ・（Ｖｒ／２）で済む。
【００９５】
また、電位Ｖｒの走査電極から電圧ＶＭの出力端１２８に電荷を放出して電位をＶｒにしなければならないとすると、電位ＶＭの出力端１２８にＣｒ・Ｖｒの電荷を供給しなければならない。しかし、走査電極をＶｒ用コンデンサ１３２に接続して電位をＶｒ／２に下降させた後に、電圧ＶＭの出力端１２８に電荷を放出すると、放出する電荷はＣｒ・（Ｖｒ／２）で済む。
【００９６】
このように、走査電極に供給すべき電荷や走査電極から放出される電荷も低減させることができる。なお、ここでは正極性駆動時の場合について説明したが、負極性駆動の場合も同様である。ただし、負極性駆動の場合には、−Ｖｒ用コンデンサ１３３を用いる。
【００９７】
また、Ｖｒ用コンデンサ１３２や−Ｖｒ用コンデンサ１３３を用いずに、走査電極同士を短絡させることで、走査電極に供給すべき電荷や走査電極から放出される電荷も低減させることができる。走査電極を短絡させる場合、電源回路２３は、Ｖｒ用コンデンサ１３２および−Ｖｒ用コンデンサ１３３を備えない。第一の配線１１４および第三の配線１１６は、それぞれ電圧Ｖｒの出力端１２７、電圧−Ｖｒの出力端１２９に接続される。また、コントローラ２２は、電源回路２３に対してＳＨＡＲＥを出力しない。
【００９８】
一方、走査電極ドライバ２は、図１６に示す配線１１４〜１１６に加え、第四の配線および第五の配線（図示せず。）を備える。第四の配線および第五の配線は、各走査電極同士を接続させるための配線であり、電源回路２３とは接続されない。そして、各走査電極に対応するスイッチは、第一の配線から第五の配線のうちのいずれかに接続される。他の構成は図１６に示す場合と同様である。
【００９９】
コントローラ２２は、各走査電極に対応するスイッチの切り替えを指示する短絡信号を走査電極ドライバ２に出力する。コントローラ２２は、選択期間の最後に短絡信号をハイレベルにする。
【０１００】
正極性駆動の場合、走査電極ドライバ２は、選択行に対応するスイッチによって、選択行の走査電極を第一の配線１１４に接続させ、選択行の電位をＶｒに設定する。選択期間の最後に短絡信号がハイレベルになると、走査電極ドライバ２は、選択している走査電極を第四の配線に接続させる。また、負極性駆動の場合、走査電極ドライバ２は、選択行に対応するスイッチによって、選択行の走査電極を第三の配線１１６に接続させ、選択行の電位を−Ｖｒに設定する。選択期間の最後に短絡信号がハイレベルになると、走査電極ドライバ２は、選択している走査電極を第五の配線に接続させる。また、走査電極ドライバ２は、短絡信号がハイレベルになると、次に選択すべき走査電極を第四の配線または第五の配線に接続させる。このとき、次の選択期間において正極性駆動とすべき場合には次に選択すべき走査電極を第四の配線に接続させ、次の選択期間において負極性駆動とすべき場合には次に選択すべき走査電極を第五の配線１５に接続させる。
【０１０１】
走査電極ドライバ２は、ダミー期間中、全ての走査電極を第二の配線１１５に接続し、各走査電極の電位をＶＭに設定する。
【０１０２】
なお、走査電極ドライバ２が次の選択期間において正極性駆動になるのか負極性駆動になるのかを認識できるようにするためには、ＦＲの切り替えタイミングを図３に示す場合よりも、１選択期間だけ早めればよい。そして、走査電極ドライバ２および信号電極ドライバ３は、選択期間開始時のＦＲの状態が次の選択期間における極性を示しているものと認識すればよい。
【０１０３】
コントローラ２２が短絡信号をハイレベルにする期間は、少なくとも一本の走査電極の時定数の１／２以上に設定される。
【０１０４】
次に、各走査電極の電位の変化について説明する。ここでは正極性駆動を行うものとする。コントローラ２２が選択期間の開始を指示するＣＬ＿ＣＯＭを出力したとする。走査電極ドライバ２は、ＣＬ＿ＣＯＭの立ち下がりタイミングで、選択すべき走査電極を第一の配線１１４に接続させ、他の走査電極を第二の配線１１５に接続させる。すると、選択行の電位はＶｒになり、非選択行の電位はＶＭになる。
【０１０５】
コントローラ２２は、選択期間Ｔｓの最後の所定期間、短絡信号をハイレベルにする。この期間中、走査電極ドライバ２は、選択している走査電極および次に選択すべき走査電極を、第四の配線に接続させる。すると、選択している走査電極は、第四の配線を介して、次に選択される走査電極にＣｒ・（Ｖｒ／２）の電荷を供給する。そして、選択している走査電極および次に選択すべき走査電極の電位は、ともにＶｒ／２になる。
【０１０６】
走査電極ドライバ２は、次の選択期間の開始時に、それまで選択していた走査電極の接続先を第四の配線から第二の配線１１５に切り替える。すると、その走査電極から電圧ＶＭの出力端１２８にＣｒ・（Ｖｒ／２）の電荷が放出され、その走査電極の電位はＶｒ／２からＶＭに変化する。また、新たに選択する走査電極の接続先を第四の配線から第一の配線１１４に切り替える。すると、電圧Ｖｒの出力端１２７は、新たに選択する走査電極にＣｒ・（Ｖｒ／２）の電荷を供給し、その走査電極の電位はＶｒに変化する。従って、Ｖｒ用コンデンサ１３２や−Ｖｒ用コンデンサ１３３を用いた場合と同様に、走査電極に供給すべき電荷や走査電極から放出される電荷も低減させることができる。なお、ここでは正極性駆動の場合を例に示したが、負極性駆動の場合も同様である。
【０１０７】
また、選択している走査電極と次に選択すべき走査電極とを接続する際に、第四の配線や第五の配線を用いるのではなく、次に選択すべき走査電極を第一の配線１１４や第三の配線１１６に接続させてもよい。この場合、第一の配線や第三の配線にスイッチを設け、短絡信号がハイレベルになっている間、第一の配線や第三の配線と電源回路２３との接続状態を断つようにすればよい。
【０１０８】
また、走査電極同士を接続させるのは、選択期間の最後でなくてもよい。例えば、選択期間の最初に、選択する走査電極と、直前に選択していた走査電極とを接続させるようにしてもよい。
【０１０９】
［実施の形態２］次に、第二の実施の形態について説明する。第二の実施の形態では、ＭＬＡを採用する。図１７は、ＭＬＡを採用する場合の液晶表示装置の駆動装置の例を示すブロック図である。液晶セル１は、第一の実施の形態で示した液晶セル１と同様である。以下、液晶セル１がノーマリブラックである場合を例に説明する。走査電極ドライバ４２および信号電極ドライバ４３は、それぞれ複数の電圧出力端子を有する。液晶セル１の個々の走査電極は、走査電極ドライバ４２の個々の電圧出力端子と一対一に接続される。液晶セル１の個々の信号電極は、信号電極ドライバ４３の個々の電圧出力端子と一対一に接続される。
【０１１０】
電源回路２３の構成は、第一の実施の形態に示した電源回路２３と同様である（図２参照）。第一の実施の形態で説明したように、電荷蓄積コンデンサ２８の静電容量Ｃ１は、一本の信号電極と各走査電極とがなすコンデンサの静電容量をＣｓに比べて十分大きい。Ｃ１をＣｓの１０倍以上とすることが好ましく、さらには１００倍以上とすることが好ましい。このようにＣｓを大きくすれば、電荷蓄積コンデンサ２８の接地されていない方の電極の電位はＶＭに収束し、ほとんど変化しない。また、電源回路２３は、電圧Ｖｃの出力端２７、電圧−Ｖｃの出力端２８の他に、電圧Ｖｒ，ＶＭ，−Ｖｃの出力端を備え、走査電極ドライバ４２に電圧Ｖｒ，ＶＭ，−Ｖｃを供給する。なお、−Ｖｒ＜−Ｖｃ＜ＶＭ＜Ｖｃ＜Ｖｒを満足しているものとする。
【０１１１】
走査電極ドライバ４２は、同時に複数本の走査電極を選択する。同時に選択される走査電極のグループをサブグループ（またはブロック）という。走査電極ドライバ４２は、サブグループを切り替えながら各走査電極を選択して液晶セル１を駆動する。走査電極ドライバ４２および信号電極ドライバ４３は、サブグループ内の各走査電極の電位を定めるＬ行Ｋ列の選択行列の情報を保持する。Ｌは同時に選択する走査電極の本数である。ただし、本発明にＭＬＡを適用する場合、Ｌ＝３とする。図１８は選択行列の例を示す。選択行列の各行はサブグループの各ラインに対応する。例えば、サブグループの第一番目のラインに対して、選択行列の第一行目の要素が適用される。また、コントローラ４１は、選択行列の何列目の要素を適用すべきかを示す信号を走査電極ドライバ４２および信号電極ドライバ４３に出力する。以下、この信号を「ＲＯＷ（１：０）」と表す。例えば、ＲＯＷ（１：０）が第二列を指定する場合、サブグループの第一番目から第三番目の走査電極に対して、それぞれ第二列の要素「１」、「−１」、「１」が適用される。以下の説明では、走査電極ドライバ４２および信号電極ドライバ４３は図１８に示す選択行列の情報を保持しているものとする。
【０１１２】
図１８に示す選択行列において、「１」は、正極性駆動時に選択行の電位を所定の電位Ｖｒ（第一の選択時電位）に設定し、負極性駆動時に選択行の電位を−Ｖｒ（第二の選択時電位）に設定することを意味する。また、「−１」は、正極性駆動時に選択行の電位を−Ｖｒに設定し、負極性駆動時に選択行の電位をＶｒに設定することを意味する。コントローラ４１は、個々のサブグループに対して選択行列の各列を均等に指定するようにＲＯＷ（１：０）を出力する。例えば、各サブグループを１回ずつ選択して再び第一番目のサブグループから選択をやり直すときに、指定する列を切り替える。以下、各サブグループを１回ずつ選択して再び第一番目のサブグループから選択をやり直すときに、指定する列を切り替える場合を例に説明する。この場合、あるサブグループを選択してから、次にそのサブグループを選択するまでの期間をサブフレームという。
【０１１３】
また、コントローラ４１は、正極性駆動にすべきか負極性駆動にすべきかを示す信号ＦＲと、第一番目のサブグループから選択をやり直すことを指示する信号（以下、ＰＭと記す。）と、サブグループの切り替えを指示するクロック信号ＣＬと、ダミー期間を指示するＤＵＭを走査電極ドライバ４２に出力する。走査電極ドライバ４２は、ＣＬが入力されると選択するサブグループを切り替える。また、走査電極ドライバ４２は、ＣＬの入力回数をカウントするカウンタを備え、ＣＬが入力される度にカウンタ値を１増加させる。ただし、ＰＭが入力された場合にはカウンタ値を初期化する。選択すべき各走査電極（サブグループ）は、カウンタ値から特定される。
【０１１４】
走査電極ドライバ４２は、個々の選択期間の開始時（ＣＬの立ち下がりタイミング）におけるＦＲとＲＯＷ（１：０）に基づいて、選択対象となるサブグループ内の各走査電極に設定すべき電位を決定する。そして、電位を決定した選択期間の二つ後の選択期間において、選択対象としたサブグループの各走査電極に電位を設定する。図１９は、走査電極ドライバ４２が設定すべき電位を決定し、実際に走査電極にその電位を設定するまでの時間経過を示す説明図である。例えば、図１９に示すように、走査電極ドライバ４２が選択期間１の開始時におけるＦＲとＲＯＷ（１：０）に基づいて、選択対象となるサブグループ内の各走査電極に設定すべき電位を決定したとする。この場合、走査電極ドライバ４２は、決定した電位の情報を保持する。走査電極ドライバ４２は、次の選択期間２でも、その情報を保持し続け、その次の選択期間３で、その情報に基づいて選択対象としたサブグループの各走査電極に電位を設定する。
【０１１５】
後述するように、信号電極ドライバ４３もＲＯＷ（１：０）やＦＲ等に基づいて各信号電極の電位の波形を決定する。しかし、この決定には時間がかかる。例えば、図１９に示す選択期間１の開始時におけるＲＯＷ（１：０）やＦＲに基づいて各信号電極の波形を決定するためには時間がかかる。そのため、実際に各信号電極の電位を設定できるのは図１９示す選択期間３になってからである。走査電極ドライバ４２は、信号電極ドライバ４２が各信号電極の電位を設定するタイミングに合わせて各走査電極に適切な電位を設定しなければならない。そのため、走査電極ドライバ４２は、選択期間１で決定した電位の情報を保持し、選択期間３で実際に電位を設定する。
【０１１６】
また、走査電極ドライバ４２は、選択していないサブグループの走査電極を所定の電位ＶＭ（非選択時電位）設定する。ここでは、ＶＭ＝０Ｖとする。
【０１１７】
コントローラ４１は、ＲＯＷ（１：０）の他に、ＦＲと、ＰＨと、ＳＣＫと、ＤＵＭと、ＣＬとを信号電極ドライバ４３に出力する。ＰＨは、選択期間内で信号電極の電位をどのように変化させるのかを規定する信号である。信号電極ドライバ４３は、ＰＨがハイレベルの場合、中間調を表示すべき画素が存在する信号電極の電位を−ＶｃからＶＭを経てＶｃ（第一の信号電極電位）に変化させる。一方、ＰＨがローレベルの場合、信号電極の電位をＶｃからＶＭを経て−Ｖｃ（第二の信号電極電位）に変化させる。ＳＣＫは信号電極ドライバ４３が備えるカウンタのカウンタ値（ＳＣＫカウンタ値）を更新させるための信号である。信号電極ドライバ４３は、第一の実施の形態と同様にカウンタを備え、ＳＣＫが入力される度にＳＣＫカウンタ値を更新する。
【０１１８】
ただし、第一の実施の形態と同様に、走査電極ドライバ４２に対するＣＬと信号電極ドライバ４３に対するＣＬとでは、ハイレベルにするタイミングが異なる。第二の実施の形態においても、コントローラ４１が走査電極ドライバ４２に出力するＣＬをＣＬ＿ＣＯＭと記し、信号電極ドライバ４３に出力するＣＬをＣＬ＿ＳＥＧと記すことにより、両者を区別する。
【０１１９】
図２０は、コントローラ４１が各信号を出力するタイミングを示す説明図である。コントローラ２２は、ＦＲ，ＰＭ，ＤＵＭ，ＰＨ，ＣＬ＿ＣＯＭおよびＣＬ＿ＳＥＧのレベルやＲＯＷ（１：０）の切り替えを、ＳＣＫの立ち上がりに同期して行うようにする。ただし、ＳＣＫが立ち上がるときに、必ず他の各信号を切り替えるわけではない。図２０に示すように、ＣＬ＿ＣＯＭが立ち下がるタイミング（ハイレベルからローレベルになるタイミング）で選択期間Ｔｓが開始する。従って、あるＣＬ＿ＣＯＭの立ち下がりタイミングから次のＣＬ＿ＣＯＭの立ち下がりタイミングまでが選択期間Ｔｓとなる。また、図２０に示すように、ＣＬ＿ＣＯＭの立ち下がりタイミングよりも先にＦＲ、ＰＨおよびＲＯＷ（１：０）を切り替え、ある選択期間の開始時（ＣＬ＿ＣＯＭの立ち下がりタイミング）ではその選択期間に応じたＦＲ、ＰＨおよびＲＯＷ（１：０）が設定されているようにする。さらに、一つ目のサブグループの選択期間の開始時では、ＰＭがハイレベルに設定されているようにする。
【０１２０】
ＦＲの切り替え周期（正極性駆動と負極性駆動の切り替え周期）は、選択期間以上である。また、ＰＨの切り替え周期は、選択期間Ｔｓと等しい。
【０１２１】
ダミー期間以外の期間（ＤＵＭがローレベルとなる期間）では、走査電極ドライバ４２は、入力されるＦＲ，ＰＭおよびＣＬ＿ＣＯＭに従ってサブグループを一組ずつ選択する。このとき、信号電極ドライバ４３は選択行の画像データに応じて各信号電極の電位を設定する。一方、ダミー期間（ＤＵＭがハイレベルとなる期間）になると、走査電極ドライバ４２は全ての走査電極の電位をＶＭに設定する。また、ダミー期間中、信号電極ドライバ３は、所定期間（例えば、各サブグループを一回ずつ選択して走査する期間）内における各信号電極への電位の設定状況に応じた駆動波形で各信号電極の電位を設定する。
【０１２２】
また、コントローラ４１は、定期的にＳＣＫが立ち上がるようにＳＣＫを出力する。ＳＣＫの立ち上がりタイミングから次のＳＣＫの立ち上がりタイミングまでの期間がＰＷＭ期間である。ＣＬ＿ＣＯＭをハイレベルにする期間およびＣＬ＿ＳＥＧをハイレベルにする期間は、それぞれＰＷＭ期間に等しい。また、コントローラ４１は、ＣＬ＿ＳＥＧをローレベルに切り替えるタイミングでＣＬ＿ＣＯＭをハイレベルに切り替えるようにＣＬ＿ＳＥＧおよびＣＬ＿ＣＯＭのレベルを切り替える。すなわち、ＣＬ＿ＣＯＭはＣＬ＿ＳＥＧを１ＰＷＭ期間遅らせた信号である。
【０１２３】
信号電極ドライバ４３のカウンタは、ＳＣＫが立ち上がったときにＣＬ＿ＳＥＧがハイレベルになっているならばＳＣＫカウンタ値を０に初期化する。ＳＣＫが立ち上がったときにＣＬ＿ＳＥＧがローレベルになっているならばＳＣＫカウンタ値を１増加する。また、信号電極ドライバ４３は、ＳＣＫが立ち上がったときに新たなＰＷＭ期間に移行したと判断し、そのＰＷＭ期間において電位を変更すべき信号電極の電位を切り替える。そして、信号電極ドライバ４３は、ＳＣＫが立ち上がりタイミングで、更新前のＳＣＫカウンタ値を参照する。本実施の形態でも、信号電極ドライバ４３が参照するＳＣＫカウンタ値を用いて各ＰＷＭ期間を表すことにする。例えば、ＳＣＫカウンタ値「ｘ」を参照するＰＷＭ期間をＰＷＭ期間「ｘ」と表す。ＰＷＭ期間を示す番号は、更新されたＳＣＫカウンタ値よりも一つ前の値である。なお、信号電極ドライバ４３がＳＣＫカウンタ値の最大値を参照するＰＷＭ期間では、ＳＣＫカウンタ値は０に初期化される。
【０１２４】
コントローラ４１が走査電極ドライバ４２および信号電極ドライバ４３に出力するＦＲ、ＤＵＭ、ＰＨ、ＣＬ＿ＣＯＭおよびＣＬ＿ＳＥＧの各レベルを切り替えるタイミングやＳＣＫを立ち上げるタイミングは第一の実施の形態と同様である。従って、信号電極ドライバ４３におけるＳＣＫカウンタ値の変化は、第一の実施の形態と同様である。なお、ＰＭのレベルの切り替えは、第一の実施の形態におけるＦＬＭと同様のタイミングで行えばよい。また、ＲＯＷ（１：０）の切り替えは、例えば、ＦＲの切り替えと同時に行えばよい。
【０１２５】
メモリ４６は、各走査電極に対応する表示データを記憶する記憶領域と、選択される複数行分の表示データ（Ｄａｔａ）を信号電極ドライバ４３に出力する出力部（図示せず。）とを備える。コントローラ４１は、メモリ４６が出力すべき複数行分のデータのアドレスを指定するメモリ制御信号をメモリ４６に出力する。メモリ４６が備える出力部は、メモリ制御信号によって指定されるアドレスに記憶する表示データを信号電極ドライバ４３への出力データ領域にコピーする。
【０１２６】
信号電極ドライバ４３は、コントローラ４１からＣＬ＿ＳＥＧが入力されると、メモリ４６の出力データ領域から複数行分の表示データを読み込み、その表示データと、ＲＯＷ（１：０）、ＦＲおよびＰＨに基づいて、各信号電極に設定すべき電位の波形を計算する。信号電極ドライバ４３は、各選択期間において、この演算結果に応じて各信号電極の電位を設定する。既に説明したように、ある選択期間の開始時におけるＦＲ等に基づいて電位の波形を計算した場合、各信号電極に実際にその電位を設定できるのは、その選択期間の二つ後の選択期間になってからである。
【０１２７】
また、信号電極ドライバ４３の構成は、図４に示した信号電極ドライバ３と同様である。以下、図２を用いて信号電極ドライバ４３の構成を説明する。信号電極ドライバ４３は、第一の配線１４、第二の配線１５および第三の配線１６を備える。この三本の配線１４，１５，１６は、それぞれＶｃ配線２４、コンデンサ配線２５、−Ｖｃ配線２６に接続される。信号電極ドライバ４３は、各信号電極に設定すべき電位の波形に応じて、各信号電極を第一の配線１４、第二の配線１５および第三の配線１６のいずれかに接続する。
【０１２８】
各信号電極に設定すべき電位の波形の計算処理について説明する。個々の信号電極に対応する表示データには、サブグループ内の各行に応じた階調データが含まれる。図２１（ａ）は、一本の信号電極に対応する表示データの例を示す。図２１（ａ）に示す表示データの場合、サブグループの各行の階調を、それぞれ第４階調、第２階調、第２９階調とすべきことを意味している。なお、ここでは、第一の実施の形態と同様に、全３２階調の表示を行う場合の例を示す。信号電極ドライバ４３は、個々の走査電極に対応する表示データを変換する。この変換後のデータを、以下、中間データと記すことにする。
【０１２９】
図２１（ｂ）は、各階調毎の中間データをまとめた一覧表である。各階調の中間データは、「１」または「−１」からなる要素を複数個含むデータである。要素の数は、１選択期間に含まれるＰＷＭ期間（分割期間）の数と同数であり、各要素は各ＰＷＭ期間に対応する。全３２階調表示を行う場合、各階調の中間データには、３１個の要素が含まれる。第０階調（最低輝度）に対応する中間データの要素は全て「−１」である。第３１階調（最高輝度）に対応する中間データの要素は全て「１」である。そして、輝度が１階調上がる毎に、中間データに含まれる「１」の要素が１つ増加し、「−１」の要素が一つ減少する。中間データ内では、例えば「１」の要素が連続して並び、その後「−１」の要素が連続して並ぶ。
【０１３０】
信号電極ドライバ４３は、図２１（ａ）に例示する表示データに含まれる各階調のデータを、対応する中間データに変換する。図２１（ｃ）は、表示データから変換された中間データおよびＭＬＡ演算結果の例を示す。図２１（ａ）に示す表示データを変換すると、図２１（ｃ）に示すようになる。信号電極ドライバ４３は、この変換後の中間データと、Ｒ（１：０）によってＭＬＡ演算を行う。ここでは、Ｒ（１：０）によって、図１８に示す選択行列の第２列が指定されているものとする。この列の要素は、「１」、「−１」、「１」である。
【０１３１】
ＭＬＡ演算は、中間データに含まれる各ＰＷＭ期間の要素毎に行う。図２１（ｃ）において、最初のＰＷＭ期間に対応する要素は「１」、「１」、「１」である。この要素と指定された列の要素のうち、対応する要素同士の積を求め、さらのその積の総和を計算する。この場合、（１×１）＋（−１×１）＋（１×１）を計算する。その計算結果は１となる。信号電極ドライバ４３は、この計算結果とＦＲとに基づいて、信号電極の電位をＶｃにすべきか−Ｖｃにすべきかを判断する。ＦＲがハイレベルの場合、計算結果が正ならば信号電極の電位をＶｃにすべきと判断し、計算結果が負ならば信号電極の電位を−Ｖｃにすべきと判断する。ＦＲがローレベルの場合、計算結果が正ならば信号電極の電位を−Ｖｃにすべきと判断し、計算結果が負ならば信号電極の電位をＶｃにすべきと判断する。図２１（ｃ）に示した「設定すべき電位」は、ＦＲがハイレベルである場合の電位である。
【０１３２】
なお、一般に、ＭＬＡでは、同時選択されるライン数をＬとすると、信号電極の電位レベルの数はＬ＋１になる。従って、３行を同時選択する場合、信号電極の電位レベルの数は一般に四つとなる。しかし、上述のように計算結果が正か負かによって電位を定めれば、信号電極の電位レベルの数を二つ（本例ではＶｃと−Ｖｃ）に減少させることができる。特開２０００−２５８７５１公報には、実際に表示されないダミーラインを設け、ダミーラインのデータを選択行列や列表示パターンに追加することによって、信号電極の電位レベル数を減少する方法が記載されている。計算結果が正か負かによって電位を定めて電位レベル数を減少させる方法と、ダミーラインを設けて電位レベル数を減少させる方法とでは、ダミーラインのデータを用いて計算を行うか否かの違いしかない。
【０１３３】
信号電極ドライバ４３は、各ＰＷＭ期間に対応する要素毎にＭＬＡ演算を行い、信号電極の電位をＶｃ，−Ｖｃのいずれかに定めたならば、全ＰＷＭ期間内で電位をＶｃに設定すべきとした回数を求める。この回数をＮＶｃと表す。図２１（ｃ）に示す例では、ＰＷＭ期間「０」からＰＷＭ期間「３０」までの各ＰＷＭ期間のうち、電位をＶｃに設定すべきとした回数は２９回である。従って、図２１（ａ）に示す表示データに対応する信号電極のＮＶｃは２９である。信号電極４３は、他の信号電極のＮＶｃも同様に求める。
【０１３４】
信号電極ドライバ４３は、ＮＶｃの値とＰＨによって、選択期間内における信号電極の電位の波形パターンを決定する。なお、ここでは、電位をＶｃに設定する回数（ＮＶｃ）によって波形パターンを決定する場合について説明するが、電位をＶｃに設定する回数を決定してもよい。図２２，２３は、選択期間内における信号電極の電位の波形パターンを示す説明図である。ただし、ＤＵＭはローレベルであるものとする。図２２，２３では、全３２階調の表示を行う場合の例を示す。この場合、コントローラ４１は１選択期間に３１回ＳＣＫを出力し、信号電極ドライバ４３のＳＣＫカウンタ値は１選択期間に０から３０までの間で変化する。
【０１３５】
図２２は、ＰＨがハイレベルである場合を示す。信号電極ドライバ４３は、ＮＶｃ＝３１である信号電極の電位を選択期間中Ｖｃのままとする。また、ＮＶｃ＝０である信号電極の電位を選択期間中−Ｖｃのままとする。ＮＶｃが１から３０のうちのいずれかである信号電極の電位は、中間調を表示するため選択期間内で切り替えられる。信号電極ドライバ４３は、選択期間開始時に、ＮＶｃが１〜３０のうちのいずれかに該当する各信号電極を第三の配線１６に接続し、その各信号電極の電位を−Ｖｃとする。そして、ＰＷＭ期間「１」になると、ＮＶｃが３０である信号電極を第二の配線１５に接続する。すると、その信号電極はコンデンサ配線２５を介して電荷蓄積コンデンサ２８に接続され、その信号電極の電位は−ＶｃからＶＭに変化する。ＰＷＭ期間「２」になると、ＮＶｃが３０である信号電極を第一の配線１４に接続する。すると、その信号電極はＶｃ配線２４を介して電圧Ｖｃの出力端２７に接続され、その信号電極の電位はＶＭからＶｃに変化する。ここではＮＶｃが３０である信号電極を例に説明したが、他の信号電極の電位も同様に切り替える。ただし、信号電極を第二の配線１５や第一の配線１４に接続するタイミングを規定するＰＷＭ期間は、ＮＶｃの値によって異なる。なお、ＮＶｃが１である信号電極の電位は、ＰＷＭ期間「３０」でＶＭに変化し、その状態で選択期間Ｔｓが終了する。
【０１３６】
図２３は、ＰＨがローレベルである場合を示す。ＮＶｃが０，３１である信号電極の電位は、図２２に示す場合と同様である。信号電極ドライバ４３は、選択期間開始時に、ＮＶｃが２〜３０のうちのいずれかに該当する各信号電極を第一の配線１４に接続し、その各信号電極の電位をＶｃとする。また、ＮＶｃが１である信号電極の電位を第二の配線１５に接続し、その信号電極の電位をＶＭとする。ＰＷＭ期間「１」になると、ＮＶｃが１である信号電極を第三の配線１６に接続する。すると、その信号電極は−Ｖｃ配線２６を介して電圧−Ｖｃの出力端２９に接続され、その信号電極の電位はＶＭから−Ｖｃに変化する。また、ＰＷＭ期間「１」になったとき、ＮＶｃが２である信号電極を第二の配線１５に接続する。すると、その信号電極はコンデンサ配線２５を介して電荷蓄積コンデンサ２８に接続され、その信号電極の電位はＶｃからＶＭに変化する。ＰＷＭ期間「２」になると、ＮＶｃが２である信号電極を第三の配線１６に接続する。すると、その信号電極は−Ｖｃ配線２６を介して電圧−Ｖｃの出力端２９に接続され、その信号電極の電位はＶＭから−Ｖｃに変化する。他の信号電極の電位もＮＶｃが２である信号電極の場合と同様に切り替える。ただし、信号電極を第二の配線１５や第三の配線１６に接続するタイミングを規定するＰＷＭ期間は、ＮＶｃの値によって異なる。
【０１３７】
ＰＨの切り替え周期は選択期間Ｔｓと等しい。従って、信号電極ドライバ３は、図２２，２３に示す二種類の波形パターンを選択期間毎に切り替えて各信号電極の電位を設定する。そして、図２２に示すＰＷＭ期間「３０」のときの各設定電位は、ＮＶｃが０，１である信号電極以外、いずれもＶｃである。また、図２３に示すＰＷＭ期間「０」のときの各設定電位は、ＮＶｃが０，１である信号電極以外、いずれもＶｃである。従って、ＰＨがハイレベルである選択期間からＰＨがローレベルとなる選択期間への切り替えタイミングでは、多くの信号電極で電位を切り替える必要がない。ＰＨがローレベルである選択期間からＰＨがハイレベルである選択期間への切り替えタイミングでも同様である。
【０１３８】
信号電極の電位を切り替えるときに電荷が移動する状況は、第一の実施の形態と同様である。すなわち、第一の配線１４に接続されている信号電極を第二の配線１５に接続すると、その信号電極の電位はＶｃからＶＭに変化する。このとき、信号電極は、電圧−Ｖｃの出力端２９に電荷を放出せず、Ｃｓ・（Ｖｃ−ＶＭ）の電荷を電荷蓄積コンデンサ２８に移動させる。続いて、その信号電極を第三の配線１６に接続すると、信号電極は、電圧−Ｖｃの出力端２９にＣｓ・（Ｖｃ−ＶＭ）の電荷を放出する。そして、信号電極の電位は−Ｖｃとなる。このように電位ＶＭの信号電極からＣｓ・（Ｖｃ−ＶＭ）の電荷を放出して電位を−Ｖｃにすればよく、電位Ｖｃの信号電極から２・Ｃｓ・（Ｖｃ−ＶＭ）の電荷を放出させて信号電極の電位を−Ｖｃにする必要はない。
【０１３９】
また、第三の配線１６に接続されている信号電極を第二の配線１５に接続すると、その信号電極の電位は−ＶｃからＶＭに変化する。このとき、電圧Ｖｃの出力端２７は信号電極に電荷を供給せず、電荷蓄積コンデンサ２８が信号電極にＣｓ・（Ｖｃ−ＶＭ）の電荷を供給する。続いて、その信号電極を第一の配線１４に接続すると、電圧Ｖｃの出力端２７は信号電極にＣｓ・（Ｖｃ−ＶＭ）の電荷を供給し、信号電極の電位はＶＭからＶｃに変化する。このように電位ＶＭの信号電極にＣｓ・（Ｖｃ−ＶＭ）の電荷を供給して電位をＶｃにすればよく、電位−Ｖｃの信号電極に２・Ｃｓ・（Ｖｃ−ＶＭ）の電荷を供給して電位をＶｃにする必要はない。従って、第二の実施の形態の場合も、第一の実施の形態と同様に消費電力を低減することができる。
【０１４０】
第一の実施の形態と同様に、信号電極ドライバ４３のスイッチの駆動等に必要な電力は考慮しなければ、従来の駆動方法に比べて、中間調表示のために電圧−Ｖｃの出力端２９に放出される電荷は約１／２になる。また、中間調表示のために電圧Ｖｃの出力端２７から供給すべき電荷も約１／２になる。
【０１４１】
第二の実施の形態では、選択期間内で、ＮＶｃが１〜３０である信号電極の電位を一旦ＶＭに変化させる。従って、クロストークを防止するため、第一の実施の形態と同様に、ダミー期間を設けて実効電圧不足を補う必要がある。ダミー期間では、個々の信号電極毎に、所定期間内（例えば、各サブグループを１回ずつ選択しながら走査する期間内）において電位をＶｃまたは−Ｖｃにすることができなかった期間（すなわち電位をＶＭに設定した期間）だけ、電位をＶｃに設定する。また、このダミー期間は、例えばサブフレームの最後に設ければよい。各サブグループを１回ずつ選択する間に一本の信号電極電位をＶＭに設定した期間は、各サブグループを１回ずつ選択する間にその信号電極を第二の配線１５に接続した回数とＰＷＭ期間との積として求められる。
【０１４２】
また、ダミー期間内において、電位をＶｃに設定すべき期間が経過したならば、信号電極の電位をＶＭに設定する。
【０１４３】
ダミー期間の長さは、ＰＷＭ期間にサブグループ数を乗じた期間よりも長く設定される。サブフレームにおいて、一本の信号電極を第二の配線に接続する回数の最大値はサブグループ数に等しいからである。また、ダミー期間中に信号電極の電位をＶｃに設定する期間を、サブフレーム中に一本の信号電極を第二の配線に接続させた回数とＰＷＭ期間との積の約１．２倍程度に定めてもよい。
【０１４４】
ここでは、ダミー期間中、信号電極の電位をＶｃに設定する場合を示したが、信号電極を第三の配線１６に接続して、信号電極の電位を−Ｖｃに設定してもよい。ダミー期間に信号電極に設定する電位を、定期的にＶｃと−Ｖｃとに切り替えてもよい。例えば、１フレームあるいは数フレームごとに切り替えてもよい。または、ＦＲがハイレベルであるフレームではＶｃに設定し、ＦＲがローレベルであるフレームでは−Ｖｃに設定するように定めてもよい。
【０１４５】
また、各サブグループを順次選択していく途中でＦＲを切り替えてもよい。この場合であっても、ダミー期間中に信号電極の電位をＶｃまたは−Ｖｃに設定する期間は、所定期間内に一本の信号電極を第二の配線１５に接続させた回数とＰＷＭ期間との積に応じた期間として定めればよい。さらに、ダミー期間中にＦＲを切り替えてもよい。この場合、信号電極の電位をＶｃ，Ｖｃのいずれにするかは、ダミー期間内におけるＦＲに応じて決定してもよい。
【０１４６】
また、一つのサブフレームの最後にダミー期間を設けるのではなく、サブフレーム内でダミー期間を分散させてもよい。また、複数のサブフレーム分のダミー期間を一つにまとめて設けてもよい。すなわち、各走査電極を１回ずつ選択する期間以外の期間を所定期間として定め、その後にダミー期間を設けるようにしてもよい。ダミー期間内において個々の信号電圧の電位をＶｃまたは−Ｖｃにすべき期間は、その所定期間内で、個々の信号電極を第二の配線１５に接続させた回数とＰＷＭ期間との積によって定まる。
【０１４７】
ＭＬＡを採用する場合、サブグループ内で白表示とすべき各画素の輝度に差が生じる場合がある。例えば、図２４に示すようにサブグループである三本の走査電極と二本の信号電極とが交差しているとする。また、第一の信号電極５１１上の画素５１３および第二の信号電極５１２上の画素５１４は白色表示とすべき画素であるとする。第二の信号電極５１２上の画素５１５は中間調を表示すべき画素であるとする。この場合、図２４に示すサブグループの選択期間中、第一の信号電極５１１の電位はＶｃまたは−Ｖｃに設定される。一方、第二の信号電極５１２の電位は、その選択期間中、一旦ＶＭに設定される。その結果、第一の信号電極５１１上の画素５１３に印加される実効電圧と、第二の信号電極５１２上の画素５１４に印加される実効電圧に差が生じ、画素５１３，５１４の輝度に差が生じてしまう。しかし、ＰＷＭ期間を選択期間の１／１５以下にすれば、観察者に輝度の差が認識されず、表示上問題とならない。従って、第二の実施の形態では、ＰＷＭ期間を選択期間の１／１５以下にすることがこのましい。
【０１４８】
また、選択期間内における信号電極の電位の波形パターンは、図２２，２３に示す波形パターンに限定されない。図２５，２６は、他の波形パターンの例を示す。　図２５は、ＰＨがハイレベルである場合の波形パターンの例を示す。図２５に示す波形パターンでは、中間調とすべき信号電極を第二の配線１５に接続する期間（電位をＶＭにする期間）を、図２２に示す場合よりも１ＰＷＭ期間分だけ早めている。図２６は、ＰＨがローレベルである場合の波形パターンの例を示す。図２６に示す波形パターンでは、中間調とすべき信号電極を第二の配線１５に接続する期間（電位をＶＭにする期間）を、図２３に示す場合よりも１ＰＷＭ期間分だけ遅らせている。
【０１４９】
信号電極の電位の波形パターンとして、図２２，２３に示す波形パターンの組み合わせのみを採用してもよい。また、図２５，２６に示す波形パターン組み合わせのみを採用してもよい。あるいは、この二種類の組み合わせを１サブフレーム毎に交互に切り替えてもよい。例えば、あるサブフレームで図２２，２３に示す波形パターンを採用し、その次のサブフレームで図２５，２６に示す波形パターンを採用してもよい。また、この二種類の組み合わせを１選択期間毎に交互に切り替えてもよい。例えば、ある選択期間で図２２（または図２３）に示す波形パターンを採用し、その次の選択期間で図２６（または図２５）に示す波形パターンを採用してもよい。
【０１５０】
本実施の形態においても、個々の信号電極を電荷蓄積コンデンサに接続する期間はＰＷＭ期間と異なっていてもよい。ただし、中間調とすべき個々の信号電極を１選択期間内で第二の配線１５に接続する期間は、少なくとも一本の信号電極の時定数（各信号電極の抵抗ＲとＣｓとの積）の１／２以上に設定される。
【０１５１】
本発明の駆動方法では、信号電極に供給すべき電荷や信号電極から放出される電荷を低減させている。併せて、走査電極に供給すべき電荷や走査電極から放出される電荷も低減させて、さらに消費電力を低減させることもできる。この場合、第一の実施の形態で説明したように、電源回路２３および走査電極ドライバ２の構成を図１６に示すような構成とすればよい。図１６に示す電源回路２３および走査電極ドライバ２を第二の実施の形態で用いる場合、走査電極ドライバは、選択したサブグループの各走査電極のうち、電位をＶｒにすべき走査電極を第一の配線１１４に接続する。また、電位を−Ｖｒにすべき走査電極を第三の配線１１４に接続する。他の動作は、第一の実施の形態で説明した動作と同様である。
【０１５２】
また、第一の実施の形態と同様に、例えば、選択期間の最後で、選択している走査電極と次に選択すべき走査電極とを接続させることによって、走査電極に供給すべき電荷や走査電極から放出される電荷を低減させてもよい。走査電極ドライバ２は、例えば、選択期間の最後に、短絡信号がハイレベルになると、第一の配線１１４に接続している走査電極と次の選択期間で第一の配線１１４に接続すべき走査電極とを接続させればよい。また、第二の配線１１６に接続している走査電極と次の選択期間で第二の配線１１６に接続すべき走査電極とを接続させればよい。
【０１５３】
第一の実施の形態および第二の実施の形態では、図２に示すような電源回路で信号電極ドライバに３種類の電位を設定した。図２に示すような構成の電源回路は、本発明以外にも適用できる。例えば、２行を同時選択するＭＬＡにおいて、信号電極に３種類の電位を設定する場合にも適用できる。
【０１５４】
［実施の形態３］次に、第三の実施の形態について説明する。第二の実施の形態では、ＩＡＰＴを採用する。図２７は、ＩＡＰＴを採用する場合の液晶表示装置の駆動装置の例を示すブロック図である。液晶セル１は、第一の実施の形態で示した液晶セル１と同様である。以下、液晶セル１がノーマリブラックである場合を例に説明する。走査電極ドライバ５２および信号電極ドライバ５３は、それぞれ複数の電圧出力端子を有する。液晶セル１の個々の走査電極は、走査電極ドライバ５２の個々の電圧出力端子と一対一に接続される。液晶セル１の個々の信号電極は、信号電極ドライバ５３の個々の電圧出力端子と一対一に接続される。
【０１５５】
電源回路５１は、信号電極ドライバ５３に電圧Ｖ５，Ｖ３，Ｖ２，Ｖ０を供給する。Ｖ５配線６１、Ｖ３配線６２、Ｖ２配線６５およびＶ０配線６６は、それぞれ電圧Ｖ５，Ｖ３，Ｖ２，Ｖ０を信号電極ドライバ５３に供給するための配線である。また、正極性用コンデンサ配線６４および負極性用コンデンサ配線６３は、それぞれ電源回路５１が備える所定のコンデンサ（後述する正極性用電荷蓄積コンデンサ、負極性用電荷蓄積コンデンサ）に各信号電極を接続するための配線である。また、電源回路５１は、走査電極ドライバ５２に電圧Ｖ５，Ｖ４，Ｖ１，Ｖ０を供給する。なお、図２７では、走査電極ドライバ５２に電圧を供給するための配線を一本に簡略化して示した。電源回路５１が出力する電圧Ｖ０〜Ｖ５は、Ｖ０＜Ｖ１＜Ｖ２＜Ｖ３＜Ｖ４＜Ｖ５かつＶ５−Ｖ４＝Ｖ１−Ｖ０＝Ｖ４−Ｖ３＝Ｖ２−Ｖ１が成立するように定められる。
【０１５６】
なお、電圧Ｖ５は、正極性駆動時に選択された走査電極に印加され、また、負極性駆動時に最高輝度とすべき画素が存在する信号電極に印加される電圧である。電圧Ｖ４は、負極性駆動時に選択されていない走査電極に印加される電圧である。電圧Ｖ３は、負極性駆動時に最低輝度とすべき画素が存在する信号電極に印加される電圧である。電圧Ｖ２は、正極性駆動時に最低輝度とすべき画素が存在する信号電極に印加される電圧である。電圧Ｖ１は、正極性駆動時に選択されていない走査電極に印加される電圧である。電圧Ｖ０は、負極性駆動時に選択された走査電極に印加され、また、正極性駆動時に最高輝度とすべき画素が存在する信号電極に印加される電圧である。
【０１５７】
本実施の形態において、電位Ｖ５，Ｖ１は、それぞれ第一の選択時電位、第一の非選択時電位である。電位Ｖ０，Ｖ２は、それぞれ第一のオン表示電位、第一のオフ表示電位である。電位Ｖ０，Ｖ４は、それぞれ第二の選択時電位、第二の非選択時電位である。電位Ｖ５，Ｖ３は、それぞれ第二のオン表示電位、第二のオフ表示電位である。
【０１５８】
図２８は電源回路５１の例を示す説明図である。電源回路５１は、電圧Ｖ５の出力端７１と、電圧Ｖ３の出力端７２と、電圧Ｖ２の出力端７５と、電圧Ｖ０の出力端７６とを備える。また、電源回路５１は、電圧Ｖ１，Ｖ４の出力端も備えるが図２８では省略した。電圧Ｖ５の出力端７１には、出力電圧を安定させるためのコンデンサ７１ａが設けられる。同様に他の電圧の出力端にもコンデンサ７２ａ，７５ａ，７６ａが設けられる。また、電源回路５１は、正極性用電荷蓄積コンデンサ７４および負極性用電荷蓄積コンデンサ７３を備える。正極性用電荷蓄積コンデンサ７４および負極性用電荷蓄積コンデンサ７３は、いずれも各信号電極が放出する電荷を蓄積し、また、各信号電極に電荷を供給するためのコンデンサである。正極性用電荷蓄積コンデンサ７４および負極性用電荷蓄積コンデンサ７３は、それぞれ正極性用コンデンサ配線６４、負極性用コンデンサ配線６３を介して信号電極ドライバ５３に接続される。また、各コンデンサ７３，７４の一方の電極は接地される。
【０１５９】
正極性用電荷蓄積コンデンサ７４および負極性用電荷蓄積コンデンサ７３の静電容量をそれぞれＣ１とする。Ｃ１は、液晶を挟持する一本の信号電極と各走査電極とが形成するコンデンサの静電容量Ｃｓの１０倍以上であることが好ましい。さらに好ましくは１００倍以上とする。
【０１６０】
Ｃ１がＣｓよりも十分大きいならば、時間が経過すると正極性用電荷蓄積コンデンサ７４の接地されていない方の電極はほぼ一定の電位に収束する。正極性用電荷蓄積コンデンサ７４は、電位Ｖ２の信号電極と電位Ｖ０の信号電極に接続される。そして、電位Ｖ２の信号電極に接続される回数と、電位Ｖ０の信号電極に接続される回数は同数である。従って、図２に示す電荷蓄積コンデンサ２８の電位がＶｃ，−Ｖｃの平均電位ＶＭに収束したのと同様に、正極性用電荷蓄積コンデンサ７４の接地されていない方の電極の電位はＶ２，Ｖ０の平均電位（Ｖ２＋Ｖ０）／２に収束する。同様に、負極性用電荷蓄積コンデンサ７３の接地されていない方の電極の電位は（Ｖ５＋Ｖ３）／２に収束する。また、Ｃ１がＣｓよりも十分に大きいと、正極性用電荷蓄積コンデンサ７４や負極性用電荷蓄積コンデンサ７３に接続される信号電極が切り替えられても、収束した電位はほとんど変化しない。以下の説明では、正極性用電荷蓄積コンデンサ７４の接地されていない方の電極の電位が（Ｖ２＋Ｖ０）／２であるものとして説明する。また、負極性用電荷蓄積コンデンサ７３の接地されていない方の電位が（Ｖ５＋Ｖ３）／２であるものとして説明する。また、以下の説明では、（Ｖ２＋Ｖ０）／２、（Ｖ５＋Ｖ３）／２をそれぞれＶｐ、Ｖｑと表す。
【０１６１】
走査電極ドライバ５２は、走査電極を一本ずつ選択しながら全ての走査電極を走査するように液晶セル１を駆動する。
【０１６２】
信号電極ドライバ５３は、一本の走査電極の選択期間中、各信号電極の電位を、選択行の画素の表示データに応じた電位に設定する。正極性駆動時において信号電極ドライバ５３は、選択行の画素のうち最高輝度とすべき画素が存在する信号電極の電位をＶ０に設定し、最低輝度とすべき画素が存在する信号電極の電位をＶ２に設定する。中間調を表示すべき画素が存在する信号電極の電位は、選択期間の途中でＶ０からＶ２またはＶ２からＶ０に切り替えられる。ただし階調が最高輝度に近いほど、電位をＶ０に設定する期間を長くする。負極性駆動時において信号電極ドライバ５３は、選択行の画素のうち最高輝度とすべき画素が存在する信号電極の電位をＶ５に設定し、最低輝度とすべき画素が存在する信号電極の電位をＶ３に設定する。中間調を表示すべき画素が存在する信号電極の電位は、正極性駆動時と同様に、選択期間の途中でＶ５からＶ３またはＶ３からＶ５に切り替えられる。ただし階調が最高輝度に近いほど、電位をＶ５に設定する期間を長くする。
【０１６３】
また、信号電極ドライバ５３は、中間調を表示すべき画素が存在する信号電極の電位を切り替えるタイミングを特定するためのカウンタを備える。信号電極ドライバ５３は、第一の実施の形態と同様に、コントローラ２２から所定の信号（ＳＣＫ）が入力される度にカウンタのＳＣＫカウンタ値を１増加させる。信号電極ドライバ５３は、ＳＣＫカウンタ値に応じて、中間調を表示すべき画素が存在する信号電極の電位を切り替える。
【０１６４】
メモリ２１は、各走査電極に対応する表示データを記憶する記憶領域と、コントローラ２２の制御に従って一行分の表示データ（Ｄａｔａ）を信号電極ドライバ５３に出力する出力部（図示せず。）とを備える。コントローラ２２は、メモリ２１が出力すべき一行分のデータのアドレスを指定するメモリ制御信号をメモリ２１に出力する。メモリ２１が備える出力部は、メモリ制御信号によって指定されるアドレスに記憶する表示データを信号電極ドライバ５３への出力データ領域にコピーする。
【０１６５】
また、コントローラ２２は、信号電極ドライバ５３に、ＣＬ（クロック信号）、ＦＲ、ＤＵＭ、ＳＣＫおよびＰＨを出力する。ＣＬは、選択する走査電極の切り換えを示すラッチパルスである。ＦＲは、正極性駆動にすべきか負極性駆動にすべきかを指示する信号である。ここでは、正極性駆動を指示する場合にＦＲをハイレベルにするものとする。ＤＵＭは、後述するダミー期間を指示するための信号である。ここでは、ダミー期間を指示する場合にＤＵＭをハイレベルにするものとする。ＳＣＫは、信号電極ドライバ５３が備えるカウンタのＳＣＫカウンタ値を１増加させるための信号である。
【０１６６】
ＰＨは、選択期間中に、中間調を表示すべき画素の印加電圧を高電圧から低電圧に切り替えるのか、低電圧から高電圧に切り替えるのかを指示する信号である。ここでは、高電圧から低電圧への切り替えを指示する場合にＰＨをハイレベルにするものとする。従って、ＦＲがハイレベル（正極性駆動）である場合、ＰＨがハイレベルならば中間調を表示すべき画素が存在する信号電極の電位をＶ０からＶ２に切り替え、ＰＨがローレベルならばＶ２からＶ０に切り替える。また、ＦＲがローレベル（負極性駆動）である場合、ＰＨがハイレベルならば中間調を表示すべき画素が存在する信号電極の電位をＶ５からＶ３に切り替え、ＰＨがローレベルならばＶ３からＶ５に切り替える。
【０１６７】
また、コントローラ２２は、走査電極ドライバ５２に、ＣＬと、ＦＲと、ＤＵＭと、１フレームの開始を示すＦＬＭ（ファーストラインマーカ）とを出力する。第一の実施の形態と同様に、走査電極ドライバ５２に対するＣＬと信号電極ドライバ５３に対するＣＬとでは、ハイレベルにするタイミングが異なる。第三の実施の形態においても、コントローラ２２が走査電極ドライバ５２に出力するＣＬをＣＬ＿ＣＯＭと記し、信号電極ドライバ５３に出力するＣＬをＣＬ＿ＳＥＧと記すことにより、両者を区別する。
【０１６８】
コントローラ２２が各信号を出力するタイミングは第一の実施の形態と同様であり、例えば、図３に示すように表される。コントローラ２２は、ＦＲ，ＦＬＭ，ＤＵＭ，ＰＨ，ＣＬ＿ＣＯＭおよびＣＬ＿ＳＥＧのレベル切り替えを、ＳＣＫの立ち上がりに同期して行うようにする。ただし、ＳＣＫが立ち上がるときに、必ず他の各信号を切り替えるわけではない。図３に示すように、ＣＬ＿ＣＯＭが立ち下がるタイミング（ハイレベルからローレベルになるタイミング）で選択期間Ｔｓが開始する。従って、あるＣＬ＿ＣＯＭの立ち下がりタイミングから次のＣＬ＿ＣＯＭの立ち下がりタイミングまでが選択期間Ｔｓとなる。また、図３に示すように、ＣＬ＿ＣＯＭの立ち下がりタイミングよりも先にＦＲやＰＨを切り替え、ある選択期間の開始時（ＣＬ＿ＣＯＭの立ち下がりタイミング）ではその選択期間に応じたＦＲやＰＨが設定されているようにする。さらに、第一行の選択期間の開始時では、ＦＬＭがハイレベルに設定されているようにする。
【０１６９】
ＦＲの切り替え周期（正極性駆動と負極性駆動の切り替え周期）は、選択期間以上である。また、ＰＨの切り替え周期は、選択期間Ｔｓと等しい。
【０１７０】
ダミー期間以外の期間（ＤＵＭがローレベルとなる期間）では、走査電極ドライバ５２は、入力されるＦＲ，ＦＬＭおよびＣＬ＿ＣＯＭに従って走査電極を一本ずつ選択する。このとき、信号電極ドライバ５３は選択行の画像データに応じて各信号電極の電位を設定する。一方、ダミー期間（ＤＵＭがハイレベルとなる期間）になると、走査電極ドライバ５２は全ての走査電極の電位をＶ１またはＶ４に設定する。ダミー期間にＦＲがハイレベルとなっているならばＶ１に設定し、ローレベルとなっているならばＶ４に設定する。また、ダミー期間中、信号電極ドライバ５３は、所定期間（例えば、各行を一回ずつ選択しながら走査する期間）内における各信号電極への電位の設定状況に応じた駆動波形で各信号電極の電位を設定する。ダミー期間中における信号電極電位の波形については後述する。
【０１７１】
また、コントローラ２２は、定期的にＳＣＫが立ち上がるようにＳＣＫを出力する。ＳＣＫの立ち上がりタイミングから次のＳＣＫの立ち上がりタイミングまでの期間がＰＷＭ期間である。ＣＬ＿ＣＯＭをハイレベルにする期間およびＣＬ＿ＳＥＧをハイレベルにする期間は、それぞれＰＷＭ期間に等しい。また、コントローラ２２は、ＣＬ＿ＳＥＧをローレベルに切り替えるタイミングでＣＬ＿ＣＯＭをハイレベルに切り替えるようにＣＬ＿ＳＥＧおよびＣＬ＿ＣＯＭのレベルを切り替える。すなわち、ＣＬ＿ＣＯＭはＣＬ＿ＳＥＧを１ＰＷＭ期間遅らせた信号である。
【０１７２】
信号電極ドライバ５３のカウンタは、ＳＣＫが立ち上がったときにＣＬ＿ＳＥＧがハイレベルになっているならばＳＣＫカウンタ値を０に初期化する。ＳＣＫが立ち上がったときにＣＬ＿ＳＥＧがローレベルになっているならばＳＣＫカウンタ値を１増加する。また、信号電極ドライバ５３は、ＳＣＫが立ち上がったときに新たなＰＷＭ期間に移行したと判断し、そのＰＷＭ期間において電位を変更すべき信号電極の電位を切り替える。そして、信号電極ドライバ５３は、ＳＣＫが立ち上がりタイミングで、更新前のＳＣＫカウンタ値を参照する。本実施の形態でも、信号電極ドライバ５３が参照するＳＣＫカウンタ値を用いて各ＰＷＭ期間を表すことにする。例えば、ＳＣＫカウンタ値「ｘ」を参照するＰＷＭ期間をＰＷＭ期間「ｘ」と表す。ＰＷＭ期間を示す番号は、更新されたＳＣＫカウンタ値よりも一つ前の値である。なお、信号電極ドライバ５３がＳＣＫカウンタ値の最大値を参照するＰＷＭ期間では、ＳＣＫカウンタ値は０に初期化される。
【０１７３】
このようにコントローラ２２の信号出力タイミングは、第一の実施の形態と同様である。従って、信号電極ドライバ５３におけるＳＣＫカウンタ値の変化も、第一の実施の形態と同様である。
【０１７４】
図２９は、信号電極ドライバ５３の構成例を示す説明図である。信号電極ドライバ５３は、Ｖ５配線６１に接続され電圧Ｖ５が供給される第一の配線８１と、Ｖ３配線６２に接続され電圧Ｖ３が供給される第二の配線８２と、負極性用コンデンサ配線６３に接続される第三の配線８３と、正極性用コンデンサ配線６４に接続される第四の配線８４と、Ｖ２配線６５に接続され電圧Ｖ２が供給される第五の配線８５と、Ｖ０配線６６に接続され電圧Ｖ０が供給される第六の配線８６とを備える。各信号電極は第一の配線８１から第六の配線８６のいずれかに接続される。信号電極が接続される配線が切り替えられると、その信号電極の電位も切り替えられる。接続の切り替えは、各信号電極と一対一に対応するスイッチ８７，８８等によって行う。図２９では、二つのスイッチを示すが、信号電極ドライバ５３は各信号電極に対応するスイッチを備える。
【０１７５】
信号電極ドライバ５３は、選択期間開始時のＰＨおよびＦＲに基づいて、中間調を表示すべき画素が存在する信号電極の電位を切り替える。ただし、電位Ｖ２（信号電極を第五の配線８５に接続させた状態）から電位Ｖ０（信号電極を第六の配線８６に接続させた状態）に切り替えるときには、その信号電極を第四の配線８４に接続させてから切り替える。電位Ｖ０から電位Ｖ２に切り替える場合も同様である。信号電極を第四の配線８４に接続すると、その信号電極は正極性用コンデンサ配線６４を介して正極性用電荷蓄積コンデンサ７４に接続される。すると、その信号電極の電位はＶｐになる。従って、信号電極の電位をＶ２からＶ０またはＶ０からＶ２に切り替える場合、その信号電極の電位は一旦ＶｐとなってからＶ０またはＶ２になる。
【０１７６】
また、信号電極ドライバ５３は、信号電極の電位を電位Ｖ５（信号電極を第一の配線８１に接続させた状態）から電位Ｖ３（信号電極を第二の配線８２に接続させた状態）に切り替えるときには、その信号電極を第三の配線８３に接続させてから切り替える。電位Ｖ３から電位Ｖ５に切り替える場合も同様である。信号電極を第三の配線８４に接続すると、その信号電極は負極性用コンデンサ配線６３を介して負極性用電荷蓄積コンデンサ７３に接続される。すると、その信号電極の電位はＶｑになる。従って、信号電極の電位をＶ５からＶ３またはＶ３からＶ５に切り替える場合、その信号電極の電位は一旦ＶｑとなってからＶ５またはＶ３になる。
【０１７７】
図３０〜３３は、選択期間内における信号電極の電位の波形パターンを示す説明図である。ただし、ＤＵＭはローレベルであるものとする。図３０〜３３では、全３２階調の表示を行う場合の例を示す。この場合、コントローラ２２は１選択期間に３１回ＳＣＫを出力し、信号電極ドライバ５３のＳＣＫカウンタ値は１選択期間に０から３０までの間で変化する。
【０１７８】
図３０は、ＦＲとＰＨとがともにハイレベルである場合を示す。第０階調は最低輝度を表すので、信号電極ドライバ５３は、第０階調とすべき信号電極の電位を選択期間中Ｖ２のままとする。また、第３１階調は最高輝度を表すので、信号電極ドライバ５３は、第３１階調とすべき信号電極の電位を選択期間中Ｖ０のままとする。第１階調から第３１階調までは中間調表示であり、低い階調ほど最低輝度に状態に近い表示となる。信号電極ドライバ５３は、選択期間開始時に、中間調とすべき各信号電極を第六の配線８６に接続し、その各信号電極の電位をＶ０とする。そして、ＰＷＭ期間「１」になると、第１階調とすべき信号電極を第四の配線８４に接続する。すると、その信号電極は正極性用コンデンサ配線６４を介して正極性用電荷蓄積コンデンサ７４に接続され、その信号電極の電位はＶ０からＶｐに変化する。ＰＷＭ期間「２」になると、第１階調とすべき信号電極を第五の配線８５に接続する。すると、その信号電極はＶ２配線６５を介して電圧Ｖ２の出力端７５に接続され、その信号電極の電位はＶｐからＶ２に変化する。ここでは、第１階調とすべき信号電極を例に説明したが、他の階調とすべき信号電極の電位も同様に切り替える。ただし、信号電極を第四の配線８４や第五の配線８５に接続するタイミングを規定するＰＷＭ期間は、階調毎に異なる。なお、第３０階調とすべき信号電極の電位は、ＰＷＭ期間「３０」でＶｐに変化し、その状態で選択期間Ｔｓが終了する。
【０１７９】
図３１は、ＦＲがハイレベルでありＰＨがローレベルである場合を示す。第０階調および第３１階調とすべき信号電極の電位は、図３０に示す場合と同様である。信号電極ドライバ５３は、選択期間開始時に、中間調（ただし、第３０階調は除く。）とすべき各信号電極を第五の配線８５に接続し、その各信号電極の電位をＶ２とする。また、第３０階調とすべき信号電極を第四の配線８４に接続し、その信号電極の電位をＶｐとする。ＰＷＭ期間「１」になると、第３０階調とすべき信号電極を第六の配線８６に接続する。すると、その信号電極はＶ０配線６６を介して電圧Ｖ０の出力端７６に接続され、その信号電極の電位はＶｐからＶ０に変化する。また、ＰＷＭ期間「１」になったとき、第２９階調とすべき信号電極を第四の配線８４に接続する。すると、その信号電極は正極性用コンデンサ配線６４を介して正極性用電荷蓄積コンデンサ７４に接続され、その信号電極の電位はＶ２からＶｐに変化する。ＰＷＭ期間「２」になると、第２９階調とすべき信号電極を第六の配線８６に接続する。すると、その信号電極はＶ０配線６６を介して電圧Ｖ０の出力端７６に接続され、その信号電極の電位はＶｐからＶ０に変化する。他の階調とすべき信号電極の電位も第２９階調とすべき信号電極の場合と同様に切り替える。ただし、信号電極を第四の配線８４や第六の配線８６に接続するタイミングを規定するＰＷＭ期間は、階調毎に異なる。
【０１８０】
ＰＨの切り替え周期は選択期間Ｔｓと等しい。従って、正極性駆動時において、信号電極ドライバ５３は、図３０，３１に示す二種類の波形パターンを選択期間毎に切り替えて各信号電極の電位を設定する。そして、図３０に示すＰＷＭ期間「３０」のときの各設定電位は、第３０階調または第３１階調とすべき信号電極以外、いずれもＶ２である。また、図３１に示すＰＷＭ期間「０」のときの各設定電位は、第３０階調または第３１階調とすべき信号電極以外、いずれもＶ２である。従って、ＰＨがハイレベルである選択期間からＰＨがローレベルとなる選択期間への切り替えタイミングでは、多くの信号電極で電位を切り替える必要がない。ＰＨがローレベルである選択期間からＰＨがハイレベルである選択期間への切り替えタイミングでも同様である。
【０１８１】
図３２は、ＦＲがローレベルでありＰＨがハイレベルである場合を示す。信号電極ドライバ５３は、第０階調とすべき信号電極の電位を選択期間中Ｖ３のままとする。また、第３１階調とすべき信号電極の電位を選択期間中Ｖ５のままとする。信号電極ドライバ５３は、選択期間開始時に、中間調とすべき各信号電極を第一の配線８１に接続し、その各信号電極の電位をＶ５とする。そして、ＰＷＭ期間「１」になると、第１階調とすべき信号電極を第三の配線８３に接続する。すると、その信号電極は負極性用コンデンサ配線６３を介して負極性用電荷蓄積コンデンサ７３に接続され、その信号電極の電位はＶ５からＶｑに変化する。ＰＷＭ期間「２」になると、第１階調とすべき信号電極を第二の配線８２に接続する。すると、その信号電極はＶ３配線６２を介して電圧Ｖ３の出力端７２に接続され、その信号電極の電位はＶｑからＶ３に変化する。ここでは、第１階調とすべき信号電極を例に説明したが、他の階調とすべき信号電極の電位も同様に切り替える。ただし、信号電極を第三の配線８３や第二の配線８２に接続するタイミングを規定するＰＷＭ期間は、階調毎に異なる。なお、第３０階調とすべき信号電極の電位は、ＰＷＭ期間「３０」でＶｐに変化し、その状態で選択期間Ｔｓが終了する。
【０１８２】
図３３は、ＦＲとＰＨとがともにローレベルである場合を示す。第０階調および第３１階調とすべき信号電極の電位は、図３２に示す場合と同様である。信号電極ドライバ５３は、選択期間開始時に、中間調（ただし、第３０階調は除く。）とすべき各信号電極を第二の配線８２に接続し、その各信号電極の電位をＶ３とする。また、第３０階調とすべき信号電極を第三の配線８３に接続し、その信号電極の電位をＶｑとする。ＰＷＭ期間「１」になると、第３０階調とすべき信号電極を第一の配線８１に接続する。すると、その信号電極はＶ５配線６１を介して電圧Ｖ５の出力端７１に接続され、その信号電極の電位はＶｑからＶ５に変化する。また、ＰＷＭ期間「１」になったとき、第２９階調とすべき信号電極を第三の配線８３に接続する。すると、その信号電極は負極性用コンデンサ配線６３を介して負極性用電荷蓄積コンデンサ７３に接続され、その信号電極の電位はＶ３からＶｑに変化する。ＰＷＭ期間「２」になると、第２９階調とすべき信号電極を第一の配線８１に接続する。すると、その信号電極はＶ５配線６１を介して電圧Ｖ５の出力端７１に接続され、その信号電極の電位はＶｑからＶ５に変化する。他の階調とすべき信号電極の電位も第２９階調とすべき信号電極の場合と同様に切り替える。ただし、信号電極を第三の配線８３や第一の配線８１に接続するタイミングを規定するＰＷＭ期間は、階調毎に異なる。
【０１８３】
負極性駆動時において、信号電極ドライバ５３は、図３２，３３に示す二種類の波形パターンを選択期間毎に切り替えて各信号電極の電位を設定する。そして、図３２に示すＰＷＭ期間「３０」のときの各設定電位は、第３０階調または第３１階調とすべき信号電極以外、いずれもＶ３である。また、図３３に示すＰＷＭ期間「０」のときの各設定電位は、第３０階調または第３１階調とすべき信号電極以外、いずれもＶ３である。従って、ＰＨがハイレベルである選択期間からＰＨがローレベルとなる選択期間への切り替えタイミングでは、多くの信号電極で電位を切り替える必要がない。ＰＨがローレベルである選択期間からＰＨがハイレベルである選択期間への切り替えタイミングでも同様である。
【０１８４】
図３０〜３３に示す波形パターンで各信号電極の電位を設定した場合、１選択期間中に選択行の画素に印加される実効電圧の平均値は、階調によって異なる。表２は、１選択期間中に選択行の画素に印加される実効電圧の平均値を階調毎にまとめたものである。ただし、第３階調から第２８階調については省略した。また、各信号電極には、図３０，３１に示す波形パターン（正極性駆動時の波形パターン）で電位を設定しているものとする。
【０１８５】
【表２】
2004093951.tif 000004
【０１８６】
表２に示すように、１選択期間中に選択行の画素に印加される実効電圧の平均値は、高い階調ほど上昇する。負極性駆動時の波形パターンで電位を設定した場合であっても、実効電圧の平均値は高い階調ほど上昇する。
【０１８７】
次に、正極性駆動時に信号電極の電位を変化させるときの電荷の移動について説明する。第五の配線８５に接続されている信号電極を第四の配線８４に接続すると、その信号電極の電位はＶ２からＶｐに変化する。このとき、信号電極は、電圧Ｖ０の出力端７６に電荷を放出せず、Ｃｓ・（Ｖ２−Ｖｐ）の電荷を正極性用電荷蓄積コンデンサ７４に移動させる。正極性用電荷蓄積コンデンサ７４はこの電荷を蓄積する。続いて、その信号電極を第六の配線８６に接続すると、信号電極は、電圧Ｖ０の出力端７６にＣｓ・（Ｖｐ−Ｖ０）の電荷を放出する。そして、信号電極の電位はＶ０となる。このように電位Ｖｐの信号電極からＣｓ・（Ｖｐ−Ｖ０）の電荷を放出して電位をＶ０にすればよく、電位Ｖ２の信号電極からＣｓ・（Ｖ２−Ｖ０）の電荷を放出させて信号電極の電位をＶ０にする必要はない。従って、電圧Ｖ０の出力端７６に放出する電荷は少なくて済む。
【０１８８】
また、第六の配線８６に接続されている信号電極を第四の配線８４に接続すると、その信号電極の電位はＶ０からＶｐに変化する。このとき、電圧Ｖ２の出力端７５は信号電極に電荷を供給せず、正極性用電荷蓄積コンデンサ７４が信号電極にＣｓ・（Ｖｐ−Ｖ０）の電荷を供給する。続いて、その信号電極を第五の配線８５に接続すると、電圧Ｖ２の出力端７５は信号電極にＣｓ・（Ｖ２−Ｖｐ）の電荷を供給し、信号電極の電位はＶｐからＶ２に変化する。このように電位Ｖｐの信号電極にＣｓ・（Ｖ２−Ｖｐ）の電荷を供給して電位をＶ２にすればよく、電位Ｖ０の信号電極にＣｓ・（Ｖ２−Ｖ０）の電荷を供給して電位をＶ２にする必要はない。従って、電圧Ｖ２の出力端７５から供給すべき電荷は少なくなる。
【０１８９】
同様に、負極性駆動時の電荷の移動について説明する。第一の配線８１に接続されている信号電極を第三の配線８３に接続すると、その信号電極の電位はＶ５からＶｑに変化する。このとき、信号電極は、電圧Ｖ３の出力端７２に電荷を放出せず、Ｃｓ・（Ｖ５−Ｖｑ）の電荷を負極性用電荷蓄積コンデンサ７３に移動させる。負極性用電荷蓄積コンデンサ７３はこの電荷を蓄積する。続いて、その信号電極を第二の配線８２に接続すると、信号電極は、電圧Ｖ３の出力端７２にＣｓ・（Ｖｑ−Ｖ３）の電荷を放出する。そして、信号電極の電位はＶ３となる。このように電位Ｖｑの信号電極からＣｓ・（Ｖｑ−Ｖ３）の電荷を放出して電位をＶ３にすればよく、電位Ｖ５の信号電極からＣｓ・（Ｖ５−Ｖ３）の電荷を放出させて信号電極の電位をＶ３にする必要はない。従って、電圧Ｖ３の出力端７２に放出する電荷は少なくて済む。
【０１９０】
また、第二の配線８２に接続されている信号電極を第三の配線７３に接続すると、その信号電極の電位はＶ３からＶｑに変化する。このとき、電圧Ｖ５の出力端７１は信号電極に電荷を供給せず、負極性用電荷蓄積コンデンサ７３が信号電極にＣｓ・（Ｖｑ−Ｖ３）の電荷を供給する。続いて、その信号電極を第一の配線８１に接続すると、電圧Ｖ５の出力端７１は信号電極にＣｓ・（Ｖ５−Ｖｑ）の電荷を供給し、信号電極の電位はＶｑからＶ５に変化する。このように電位Ｖｑの信号電極にＣｓ・（Ｖ５−Ｖｑ）の電荷を供給して電位をＶ５にすればよく、電位Ｖ３の信号電極にＣｓ・（Ｖ５−Ｖ３）の電荷を供給して電位をＶ５にする必要はない。従って、電圧Ｖ５の出力端７１から供給すべき電荷は少なくなる。
【０１９１】
従来の駆動方法では、信号電極の電位をＶ０からＶ２に変化させたり、Ｖ５からＶ３に変化させたりする場合、信号電極を電荷蓄積コンデンサに接続することはなかった。本発明のように電荷蓄積コンデンサを用いれば、従来の駆動方法に比べて、中間調表示のために電圧Ｖ３や電圧Ｖ０の出力端に放出される電荷は約１／２になる。また、中間調表示のために電圧Ｖ５や電圧Ｖ２の出力端から供給すべき電荷も約１／２になる。ただし、ここでは信号電極ドライバ３のスイッチの駆動等に必要な電力は考慮していない。
【０１９２】
このように、電圧の出力端７２，７６に放出される電荷や電圧の出力端７１，７６から供給すべき電荷を少なくすることができるので、消費電力は低減される。また、選択期間が切り替わるタイミングでは、多くの信号電極で電位を切り替える必要がない。従って、選択期間が切り替わるタイミングで生じる消費電力も低減することができる。
【０１９３】
第三の実施の形態では、選択期間内で、中間調の画素が存在する信号電極の電位を一旦ＶｐまたはＶｑに変化させる。従って、クロストークを防止するため、第一の実施の形態と同様に、ダミー期間を設けて実効電圧不足を補う。ダミー期間中に設定すべき信号電極の電位について説明する。
【０１９４】
ダミー期間では、個々の信号電極毎に、所定期間（例えば、各走査電極を一回ずつ選択しながら走査する期間）に電位をＶ０，Ｖ２，Ｖ３，Ｖ５のいずれにも設定することができなかった期間（すなわち、電位をＶｐまたはＶｑに設定した期間）だけ、その信号電極の電位をＶ０，Ｖ２，Ｖ３，Ｖ５のいずれかに設定する。また、このダミー期間は、例えば１フレームの最後に設ければよい。一本の信号電極について、各走査電極を一回ずつ選択しながら走査する間にその信号電極の電位をＶｐまたはＶｑに設定した期間は、以下のように求められる。すなわち、各走査電極を一回ずつ選択する間に、その信号電極を第四の配線８４に接続した回数と第三の配線８３に接続した回数の和を求める。この和とＰＷＭ期間との積が、信号電極電位をＶｐまたはＶｑに設定した期間となる。なお、信号電極ドライバ５３は、所定期間内に信号電極を第四の配線８４や第三の配線８３に接続させた回数を信号電極毎に記憶しておく。
【０１９５】
ダミー期間では、ＦＲがハイレベルのときに、全ての走査電極の電位をＶ１に設定し、ＦＲがローレベルのときに全ての走査電極の電位をＶ４に設定する。そして、個々の信号電極について、所定期間内に電位をＶｐまたはＶｑに設定した期間、電位をＶ０，Ｖ２，Ｖ３，Ｖ５のいずれかに設定する。このとき、ＦＲがハイレベルのときに信号電極の電位をＶ０またはＶ２とする。この場合、信号電極の電位をＶ０としてもＶ２としてもよい。また、ＦＲがローレベルのときに信号電極の電位をＶ３またはＶ５とする。この場合、信号電極の電位をＶ３としてもＶ５としてもよい。
【０１９６】
また、ダミー期間内において、電位をＶ０，Ｖ２，Ｖ３，Ｖ５のいずれかに設定すべき期間が経過したならば、信号電極を正極性用電荷蓄積コンデンサ７４または負極性電荷蓄積コンデンサ７３に接続し、信号電極の電位をＶｐまたはＶｑに設定する。このとき、ＦＲがハイレベルならば信号電極を正極性用電荷蓄積コンデンサ７４に接続し、ＦＲがローレベルならば信号電極を負極性用電荷蓄積コンデンサ７３に接続する。
【０１９７】
このようにダミー期間中、信号電極の電位をＶ０またはＶ２とするのか、Ｖ３またはＶ５とするのかはダミー期間におけるＦＲによって定められる。同様に、電位をＶ０，Ｖ２，Ｖ３，Ｖ５のいずれかに設定すべき期間が経過した後、電位をＶｐ，Ｖｑのいずれに設定するのかについてもダミー期間におけるＦＲによって定められる。
【０１９８】
図３４は、ダミー期間内での信号電極電位の例を示す説明図である。なお、ＦＲはハイレベルに保たれているとする。図３４に示す第一の信号電極の電位は、選択期間中Ｖｐに設定されていない。従って、ダミー期間では、第一の信号電極の電位をＶｐのまま維持する。第二の信号電極の電位は、最終行を選択するまでの間にｍ回Ｖｐになったとする。この場合、ダミー期間では、ＰＷＭ期間のｍ倍の期間だけ電位をＶ２に設定する。その後、信号電極を正極性用電荷蓄積コンデンサに接続し、電位をＶ２からＶｐに変化させる。第三の信号電極の電位は、最終行を選択するまでの間にｎ回Ｖｐになったとする。この場合、ダミー期間では、ＰＷＭ期間のｎ倍の期間だけ電位をＶ２に設定する。その後、信号電極を正極性用電荷蓄積コンデンサ７４に接続し、電位をＶ２からＶｐに変化させる。
【０１９９】
図３４では、ダミー期間中に電位をＶ２に設定する場合を示したが、ダミー期間中に信号電極に設定すべき電位はＶ２であってもＶ０であってもよい。この理由について説明する。一本の走査電極の選択期間中に信号電極の電位をＶｐに設定しなければ、非選択行の走査電極とその信号電極との間の電圧の絶対値は、Ｖ２−Ｖ１と表される。この電圧をＡとする。なお、信号電極の電位がＶ０であったとしても、Ｖ２−Ｖ１＝Ｖ１−Ｖ０であるので、非選択行の走査電極と信号電極との間の電圧の絶対値はＡである。信号電極の電位をＶｐに設定すると、Ｖｐ＝Ｖ１であるので、その間、非選択行の走査電極とその信号電極との間の電圧は０Ｖとなる。ダミー期間では、信号電極の電位をＶｐとした期間における実効電圧不足を補えればよい。従って、ダミー期間で信号電極の電位をＶ２，Ｖ０のいずれにしたとしても、走査電極の電位がＶ１であるので、その信号電極と走査電極間の電圧はＡとなり、実効電圧不足が補える。従って、信号電極の電位をＶ２としてもＶ０としてもよい。ダミー期間においてＦＲがローレベルの場合に信号電極の電位をＶ５とＶ３のどちらに設定してもよい理由も同様である。
【０２００】
また、第一の実施の形態と同様に、ＦＲの切り替え周期は１フレームに限定されない。従って、各行を順次選択する期間とダミー期間とでＦＲのレベルが切り替えられてもよい。例えば、図３４に示す例において、ダミー期間におけるＦＲがローレベルであったとする。この場合、ダミー期間中、第一の信号電極を負極性用電荷蓄積コンデンサ７３に接続し電位をＶｑにすればよい。また、ＰＷＭ期間のｍ倍の期間だけ、第二の信号電極の電位をＶ５またはＶ３に設定する。その期間の経過後、信号電極を負極性用電荷蓄積コンデンサに接続し、電位をＶｑに変化させる。信号電極の電位をＶ５またはＶ３にしたとしても、ＦＲがローレベルの場合、走査電極の電位はＶ４である。そして、Ｖ５−Ｖ４、Ｖ４−Ｖ３は、前述の電圧Ａに等しい。よって、このように電位を設定したとしても、実効電圧不足を補うことができる。
【０２０１】
従って、ダミー期間中の信号電極の電位は、ダミー期間におけるＦＲに基づいて定めればよい。各行を順次選択していく途中でＦＲを切り替えた場合であっても同様である。ダミー期間中に、ＦＲのレベルを切り替える場合には、ＦＲの切り替えに従って、各信号電極の電位も切り替えればよい。
【０２０２】
また、ダミー期間における信号電極および走査電極の電位をＦＲに依らずに定めてもよい。例えば、あるフレームのダミー期間では、走査電極の電位をＶ１とし、信号電極の電位をＶ０またはＶ２とする。そして、信号電極の電位をＶ０またはＶ２とすべき期間の経過後に、その信号電極を正極性用電荷蓄積コンデンサ７４に接続し、その信号電極の電位をＶｐとする。そして、次のフレームのダミー期間では、走査電極の電位をＶ４とし、信号電極の電位をＶ３またはＶ５とする。そして、信号電極の電位をＶ３またはＶ５とすべき期間の経過後に、その信号電極を負極性用電荷蓄積コンデンサ７３に接続し、その信号電極をＶｑとする。このように、１フレーム毎に、電位の設定の仕方を切り替えてもよい。
【０２０３】
また、ダミー期間の長さは、ＰＷＭ期間に全走査電極数を乗じた期間よりも長く設定される。各行を一回ずつ選択する間に、一本の信号電極を第四の配線８４（または第三の配線８３）に接続する回数の最大値は全走査電極数に等しいからである。また、ダミー期間中に信号電極の電位をＶ０やＶ５等に設定する期間を、信号電極を第四の配線８４（または第三の配線８３）に接続させた回数とＰＷＭ期間との積の約１．２倍程度に定めてもよい。
【０２０４】
また、１フレームの最後にダミー期間を設けるのではなく、１フレーム内でダミー期間を分散させてもよい。また、複数のフレーム分のダミー期間を一つにまとめて設けてもよい。すなわち、各走査電極を１回ずつ選択する期間以外の期間を所定期間として定め、その後にダミー期間を設けるようにしてもよい。ダミー期間内において個々の信号電圧の電位をＶ０，Ｖ２，Ｖ３，Ｖ５のいずれかに設定すべき期間は、その所定期間内で個々の走査電極を第四の配線６４に接続した回数と第三の配線６３に接続した回数との和に、ＰＷＭ期間を乗じた値によって定まる。
【０２０５】
本実施の形態の選択期間内における信号電極の電位の波形パターンは、図３０〜３３に示す波形パターンに限定されない。図３５〜３８は、他の波形パターンの例を示す。図３５は、ＦＲとＰＨとがともにハイレベルである場合の波形パターンの例を示す。図３５に示す波形パターンでは、中間調とすべき信号電極を第四の配線８４に接続する期間（電位をＶｐにする期間）を、図３０に示す場合よりも１ＰＷＭ期間分だけ早めている。図３６は、ＦＲがハイレベルでありＰＨがローレベルである場合の波形パターンの例を示す。図３６に示す波形パターンでは、中間調とすべき信号電極を第四の配線８４に接続する期間（電位をＶｐにする期間）を、図３１に示す場合よりも１ＰＷＭ期間分だけ遅らせている。
【０２０６】
また、図３７は、ＦＲがローレベルでありＰＨがハイレベルである場合の波形パターンの例を示す。図３７に示す波形パターンでは、中間調とすべき信号電極を第三の配線８３に接続する期間（電位をＶｑにする期間）を、図３２に示す場合よりも１ＰＷＭ期間分だけ早めている。図３８は、ＦＲとＰＨとがともにローレベルである場合の波形パターンの例を示す。図３８に示す波形パターンでは、中間調とすべき信号電極を第三の配線８３に接続する期間（電位をＶｑにする期間）を、図３３に示す場合よりも１ＰＷＭ期間分だけ遅らせている。
【０２０７】
信号電極の電位の波形パターンとして、図３０〜３３に示す波形パターンの組み合わせのみを採用してもよい。また、図３５〜３８に示す波形パターン組み合わせのみを採用してもよい。あるいは、この二種類の組み合わせを交互に切り替えてもよい。例えば、ある連続する二つのフレームで図３０〜３３に示す波形パターンを採用し、その次の連続する二つのフレームで図３５〜３８に示す波形パターンを採用してもよい。また、この二種類の組み合わせを１選択期間毎に交互に切り替えてもよい。例えば、正極性駆動のフレーム内で、選択期間毎に図３０に示す波形パターンと図３６に示す波形パターンとを交互に採用してもよい。
【０２０８】
また、本実施の形態においても、個々の信号電極を電荷蓄積コンデンサに接続する期間はＰＷＭ期間と異なっていてもよい。ただし、中間調とすべき個々の信号電極を１選択期間内で第二の配線１５に接続する期間は、少なくとも一本の信号電極の時定数（各信号電極の抵抗ＲとＣｓとの積）の１／２以上に設定される。
【０２０９】
本発明の駆動方法では、信号電極に供給すべき電荷や信号電極から放出される電荷を低減させている。併せて、走査電極に供給すべき電荷や走査電極から放出される電荷も低減させて、さらに消費電力を低減させることもできる。図３９は、走査電極に供給すべき電荷や走査電極から放出される電荷も低減することができる電源回路５１および走査電極ドライバ５２の構成を示す。ただし、図３９では、電圧Ｖ２の出力端、電圧Ｖ３の出力端、正極性用電荷蓄積コンデンサおよび負極性用電荷蓄積コンデンサの図示を省略した。
【０２１０】
図３９に示す電源回路５１は、電圧Ｖ５の出力端１７０と、電圧Ｖ４の出力端１７１と、電圧Ｖ１の出力端１７２と、電圧Ｖ０の出力端１７３とを備える。各電圧の出力端１７０〜１７３には、それぞれ出力電圧を安定させるためのコンデンサ１７０ａ〜１７３ａが設けられる。また、電源回路５１は、電圧Ｖ５の出力端１７０に対応するＶ５用スイッチ１７８と、電圧Ｖ０の出力端１７３に対応するＶ０用スイッチ１７９と、ＳＨＡＲＥ用コンデンサ１７７とを備える。
【０２１１】
走査電極ドライバ５２は、電圧Ｖ５が供給される第一の配線１９０と、電圧Ｖ４が供給される第二の配線１９１と、電圧Ｖ１が供給される第三の配線１９２と、電圧Ｖ０が供給される第四の配線１９３とを備える。各走査電極は第一の配線１９０から第四の配線１９３のいずれかに接続される。走査電極が接続される配線が切り替えられると、その走査電極の電位も切り替えられる。接続の切り替えは、各走査電極と一対一に対応するスイッチ１８１〜１８３等によって行う。スイッチ１８１〜１８３は、それぞれ第一行から第三行の走査電極に接続される。図３９では、第一行から第三行に対応するスイッチを示すが、走査電極ドライバ５２は各行に対応するスイッチを備える。
【０２１２】
コントローラ２２は、Ｖ５用スイッチ１７８およびＶ０用スイッチ１７９の切り替えを制御する信号（以下、ＳＨＡＲＥと記す。）を電源回路５１に出力する。Ｖ５用スイッチ１７８は、ＳＨＡＲＥに応じて第一の配線１９０の接続先を電圧Ｖ５の出力端１７０またはＳＨＡＲＥ用コンデンサ１７７に切り替える。同様に、Ｖ０用スイッチ１７９は、ＳＨＡＲＥに応じて第四の配線１９３の接続先を電圧Ｖ０の出力端１７３またはＳＨＡＲＥ用コンデンサ１７７に切り替える。ここでは、ＳＨＡＲＥがハイレベルのときに、第一の配線１９０と第四の配線１９３の接続先をそれぞれＳＨＡＲＥ用コンデンサ１７７に切り替える場合を例に説明する。この場合、ＳＨＡＲＥがローレベルになると、第一の配線１９０と第四の配線１９３の接続先ををそれぞれＶ５の出力端１７０、Ｖ０の出力端１７３に切り替える。なお、第二の配線１９１は、電圧Ｖ４の出力端１７１に接続される。第三の配線１９２は、電圧Ｖ１の出力端１７２に接続される。
【０２１３】
コントローラ２２は、選択期間Ｔｓの最初の所定期間Ｔｓと最後の所定期間ＴｓにおいてＳＨＡＲＥをハイレベルとし、他の期間ではＳＨＡＲＥをローレベルにする。この所定期間Ｔｒの長さは、少なくとも一本の走査電極の時定数（各走査電極の抵抗ＲとＣｒとの積）の１／２以上に設定される。
【０２１４】
走査電極ドライバ５２は、正極性駆動時には、選択行に対応するスイッチを第一の配線１９０に接続し、他の行に対応するスイッチを第三の配線１９２に接続する。また、ダミー期間中、全てのスイッチを第三の配線１９２に接続する。また、負極性駆動時には、選択行に対応するスイッチを第四の配線１９３に接続し、他の行に対応するスイッチを第二の配線１９２に接続する。ダミー期間中、全てのスイッチを第二の配線１９２に接続する。
【０２１５】
ＳＨＡＲＥ用コンデンサの静電容量（Ｃ０とする。）は、一本の走査電極と各信号電極とが形成するコンデンサの静電容量Ｃｒの１０倍以上であることが好ましい。さらに好ましくは１００倍以上とする。Ｃ０がＣｒよりも十分大きいならば、時間が経過すると、ＳＨＡＲＥ用コンデンサの静電容量は（Ｖ５＋Ｖ４＋Ｖ１＋Ｖ０）／４に集束する。また、Ｃ０がＣｒよりも十分大きいと、Ｖ５用スイッチ１７８やＶ０用スイッチ１７９によって第一の配線や第四の配線の接続先が切り替えられても、収束した電位はほとんど変化しない。以下の説明では、ＳＨＡＲＥ用コンデンサのスイッチ側電極が（Ｖ５＋Ｖ４＋Ｖ１＋Ｖ０）／４であるものとして説明する。
【０２１６】
次に、各走査電極の電位の変化について説明する。ここでは正極性駆動を行うものとする。コントローラ２２が選択期間の開始を指示するＣＬを出力したとする。コントローラ２２は、この選択期間Ｔｓの開始後、所定期間Ｔｒの間ＳＨＡＲＥをハイレベルにする。走査電極ドライバ５２は、ＣＬの立ち下がりタイミングで、選択すべき走査電極を第一の配線１９０に接続させ、他の走査電極を第三の配線１９２に接続させる。また、ＳＨＡＲＥがハイレベルの間、Ｖ５用スイッチ１７８は、第一の配線１９２をＳＨＡＲＥ用コンデンサ１７７に接続する。すると、選択された走査電極の電位は（Ｖ５＋Ｖ１＋Ｖ４＋Ｖ０）／４に変化する。このとき、電圧Ｖ５の出力端１７０は電荷を供給しない。また、非選択行の走査電極の電位はＶ１になる。
【０２１７】
所定期間Ｔｒが経過すると、Ｖ５用スイッチ１７８は、第一の配線１９０を電圧Ｖ５の出力端１７０に接続する。すると、電圧Ｖ５の出力端１７０は、選択行の走査電極にＣｒ・（３・Ｖ５−Ｖ１−Ｖ４−Ｖ０）／４の電荷を供給し、選択行走査電極の電位はＶ５に変化する。選択期間Ｔｓの最後の所定期間Ｔｒにおいて、コントローラ２２は再びＳＨＡＲＥをハイレベルにする。すると、Ｖ５用スイッチ１７８は、第一の配線１９０をＳＨＡＲＥ用コンデンサ１７７に接続する。すると、選択行の走査電極からＳＨＡＲＥ用コンデンサ１７７に電荷が移動し、その走査電極の電位は（Ｖ５＋Ｖ１＋Ｖ４＋Ｖ０）／４に変化する。このとき、選択行の走査電極から電圧Ｖ１の出力端１７２に電荷が放出されることはない。
【０２１８】
さらに、走査電極ドライバ５２は、次の選択期間の開始時に、それまで選択していた走査電極を第三の配線１７３に接続する。すると、その走査電極から電圧Ｖ０の出力端１７２にＣｒ・（Ｖ５−３・Ｖ１＋Ｖ４＋Ｖ０）／４の電荷が放出され、その走査電極の電位はＶ０に変化する。
【０２１９】
電圧Ｖ５の出力端１７０から電位Ｖ１の走査電極に電荷を供給して、電位をＶ５にしなければならないとすると、電圧Ｖ５の出力端１７０はＣｒ・（Ｖ５−Ｖ１）の電荷を供給しなければならない。しかし、その走査電極をＳＨＡＲＥ用コンデンサ１７７に接続して電位を（Ｖ５＋Ｖ１＋Ｖ４＋Ｖ０）／４に上昇させた後に、電圧Ｖ５の出力端１７０から電荷を供給すると、電圧Ｖ５の出力端１７０が供給すべき電荷はＣｒ・（３・Ｖ５−Ｖ１−Ｖ４−Ｖ０）／４で済む。
【０２２０】
また、電位Ｖ５の走査電極から電圧Ｖ１の出力端１７２に電荷を放出して電位をＶ１にしなければならないとすると、電位Ｖ１の出力端１７２にＣｒ・（Ｖ５−Ｖ１）の電荷を放出しなければならない。しかし、その走査電極をＳＨＡＲＥ用コンデンサ１７７に接続して電位を（Ｖ５＋Ｖ１＋Ｖ４＋Ｖ０）／４に下降させた後に、電圧ＶＭの出力端１２８に電荷を放出すると、放出する電荷はＣｒ・（Ｖ５−３・Ｖ１＋Ｖ４＋Ｖ０）／４で済む。
【０２２１】
このように、走査電極に供給すべき電荷や走査電極から放出される電荷も低減させることができる。なお、ここでは正極性駆動時の場合について説明したが、負極性駆動の場合も同様である。
【０２２２】
また、ＳＨＡＲＥ用コンデンサ１７７を用いずに、走査電極同士を短絡させることで、走査電極に供給すべき電荷や走査電極から放出される電荷も低減させることができる。走査電極を短絡させる場合、電源回路５１は、ＳＨＡＲＥ用コンデンサ１７７を備えない。第一の配線１９０および第四の配線１９３は、それぞれ電圧Ｖ５の出力端１７０、電圧Ｖ０の出力端１７３に接続される。また、コントローラ２２は、電源回路５１に対してＳＨＡＲＥを出力しない。
【０２２３】
一方、走査電極ドライバ５２は、図３９に示す配線１９０〜１９３に加え、第五の配線（図示せず。）を備える。第五の配線は、各走査電極同士を接続させるための配線であり、電源回路５１とは接続されない。そして、各走査電極に対応するスイッチは、第一の配線から第五の配線のうちのいずれかに接続される。他の構成は図３９に示す場合と同様である。
【０２２４】
コントローラ２２は、各走査電極に対応するスイッチの切り替えを指示する短絡信号を走査電極ドライバ５２に出力する。コントローラ２２は、選択期間の最後に短絡信号をハイレベルにする。
【０２２５】
正極性駆動の場合、走査電極ドライバ５２は、選択行に対応するスイッチによって、選択行の走査電極を第一の配線１９０に接続させ、選択行の電位をＶ５に設定する。また、負極性駆動の場合、走査電極ドライバ５２は、選択行の走査電極を第四の配線１９３に接続させ、選択行の電位をＶ０に設定する。選択期間の最後に短絡信号がハイレベルになると、走査電極ドライバ５２は、次の選択期間でも正極性駆動あるいは負極性駆動を維持する場合に、選択している走査電極および次に選択すべき走査電極をそれぞれ第五の配線６５に接続させる。次の選択期間で正極性駆動あるいは負極性駆動が維持されないならば、走査電極ドライバ５２は、短絡信号がハイレベルになっても、選択している走査電極および次に選択すべき走査電極に対応するスイッチを切り替えない。
【０２２６】
走査電極ドライバ５２は、ダミー期間中、ＦＲ信号に応じて全ての走査電極を第一の配線１９０または第四の配線１９３に接続し、各走査電極の電位をＶ５またはＶ０に設定する。
【０２２７】
なお、走査電極ドライバ５２が次の選択期間において正極性駆動になるのか負極性駆動になるのかを認識できるようにするためには、ＦＲの切り替えタイミングを図３に示す場合よりも、１選択期間だけ早めればよい。そして、走査電極ドライバ５２および信号電極ドライバ５３は、選択期間開始時のＦＲの状態が次の選択期間における極性を示しているものと認識すればよい。
【０２２８】
コントローラ２２が短絡信号をハイレベルにする期間は、少なくとも一本の走査電極の時定数の１／２以上に設定される。
【０２２９】
次に、各走査電極の電位の変化について説明する。ここでは正極性駆動を行うものとする。コントローラ２２が選択期間の開始を指示するＣＬ＿ＣＯＭを出力したとする。走査電極ドライバ５２は、ＣＬ＿ＣＯＭの立ち下がりタイミングで、選択すべき走査電極を第一の配線１９０に接続させ、他の走査電極を第三の配線１９２に接続させる。すると、選択行の電位はＶ５になり、非選択行の電位はＶ１になる。
【０２３０】
コントローラ２２は、選択期間Ｔｓの最後の所定期間、短絡信号をハイレベルにする。この期間中、走査電極ドライバ５２は、選択している走査電極および次に選択すべき走査電極を、第五の配線に接続させる。すると、選択している走査電極は、第五の配線を介して、次に選択される走査電極に電荷を供給する。そして、選択している走査電極および次に選択すべき走査電極の電位は、ともに（Ｖ５＋Ｖ１）／２になる。
【０２３１】
走査電極ドライバ５２は、次の選択期間の開始時に、それまで選択していた走査電極の接続先を第五の配線から第三の配線１９２に切り替える。すると、その走査電極から電圧Ｖ１の出力端１７１に電荷が放出され、その走査電極の電位は（Ｖ５＋Ｖ１）／２からＶ１に変化する。また、新たに選択する走査電極の接続先を第五の配線から第一の配線１９０に切り替える。すると、電圧Ｖ５の出力端１７０は、新たに選択する走査電極に電荷を供給し、その走査電極の電位は（Ｖ５＋Ｖ１）／２からＶ５に変化する。従って、電圧Ｖ５の出力端１７０が供給すべき電荷は、電位Ｖ０をＶ５に上昇させる場合よりも少なくて済む。また、電圧Ｖ０の出力端１７３に放出される電荷は、電位Ｖ５をＶ０に下降させる場合よりも少なくて済む。なお、ここでは正極性駆動の場合を例に示したが、負極性駆動の場合も同様である。
【０２３２】
また、選択している走査電極と次に選択すべき走査電極を接続する際に、第五の配線を用いるのではなく、次に選択すべき走査電極を第一の配線１９０や第四の配線１９３に接続させてもよい。この場合、第一の配線や第四の配線にスイッチを設け、短絡信号がハイレベルになっている間、第一の配線や第四の配線と電源回路５１との接続状態を断つようにすればよい。
【０２３３】
また、走査電極同士を接続させるのは、選択期間の最後でなくてもよい。例えば、選択期間の最初に、選択する走査電極と、直前に選択していた走査電極とを接続させるようにしてもよい。
【０２３４】
本発明による駆動方法は、特に携帯機器の液晶表示装置の駆動に適する。例えば、携帯電話機やＰＤＡの液晶表示装置を駆動する場合、本発明の駆動方法の適用が好ましい。
【０２３５】
また、上記の各実施の形態では、液晶セル１がノーマリブラックである場合を例に説明したが、液晶セル１は、いわゆるノーマリホワイトの液晶表示装置（電圧が高くなるほど透過率が低くなる液晶表示装置）であってもよい。
【０２３６】
【発明の効果】
本発明によれば、信号電極の電位を切り替えるときに供給すべき電荷や放出される電荷を減少させることができる。従って、電荷の再利用効率を高め、消費電力をより低減できる。
【図面の簡単な説明】
【図１】第一の実施の形態の駆動装置の例を示すブロック図。
【図２】電源回路の例を示す説明図。
【図３】信号出力タイミングの例を示す説明図。
【図４】信号電極ドライバの構成例を示す説明図。
【図５】信号電極の電位の波形パターンを示す説明図。
【図６】信号電極の電位の波形パターンを示す説明図。
【図７】信号電極の電位の波形パターンを示す説明図。
【図８】信号電極の電位の波形パターンを示す説明図。
【図９】ダミー期間の必要性を示す説明図。
【図１０】ダミー期間での信号電極電位の例を示す説明図。
【図１１】信号電極の電位の波形パターンを示す説明図。
【図１２】信号電極の電位の波形パターンを示す説明図。
【図１３】信号電極の電位の波形パターンを示す説明図。
【図１４】信号電極の電位の波形パターンを示す説明図。
【図１５】複数のカウンタ値を用いる場合の例を示す説明図。
【図１６】電源回路および走査電極ドライバの構成例を示す説明図。
【図１７】第二の実施の形態の駆動装置の例を示すブロック図。
【図１８】選択行列の例を示す説明図。
【図１９】電位設定タイミングの説明図。
【図２０】信号出力タイミングの例を示す説明図。
【図２１】ＭＬＡ演算の説明図。
【図２２】信号電極の電位の波形パターンを示す説明図。
【図２３】信号電極の電位の波形パターンを示す説明図。
【図２４】サブグループ内での輝度差の発生の説明図。
【図２５】信号電極の電位の波形パターンを示す説明図。
【図２６】信号電極の電位の波形パターンを示す説明図。
【図２７】第一の実施の形態の駆動装置の例を示すブロック図。
【図２８】電源回路の例を示す説明図。
【図２９】信号電極ドライバ５３の構成例を示す説明図。
【図３０】信号電極の電位の波形パターンを示す説明図。
【図３１】信号電極の電位の波形パターンを示す説明図。
【図３２】信号電極の電位の波形パターンを示す説明図。
【図３３】信号電極の電位の波形パターンを示す説明図。
【図３４】ダミー期間内での信号電極電位の例を示す説明図
【図３５】信号電極の電位の波形パターンを示す説明図。
【図３６】信号電極の電位の波形パターンを示す説明図。
【図３７】信号電極の電位の波形パターンを示す説明図。
【図３８】信号電極の電位の波形パターンを示す説明図。
【図３９】電源回路および走査電極ドライバの構成例を示す説明図。
【図４０】従来の駆動波形の例を示す説明図。
【図４１】従来の駆動波形の例を示す説明図。
【符号の説明】
１　液晶セル
２　走査電極ドライバ
３　信号電極ドライバ
２３　電源回路
２７　電圧Ｖｒの出力端
２８　電荷蓄積用コンデンサ
２９　電圧−Ｖｒの出力端
【図１】
2004093951.tif 000005
【図２】
2004093951.tif 000006
【図３】
2004093951.tif 000007
【図４】
2004093951.tif 000008
【図５】
2004093951.tif 000009
【図６】
2004093951.tif 000010
【図７】
2004093951.tif 000011
【図８】
2004093951.tif 000012
【図９】
2004093951.tif 000013
【図１０】
2004093951.tif 000014
【図１１】
2004093951.tif 000015
【図１２】
2004093951.tif 000016
【図１３】
2004093951.tif 000017
【図１４】
2004093951.tif 000018
【図１５】
2004093951.tif 000019
【図１６】
2004093951.tif 000020
【図１７】
2004093951.tif 000021
【図１８】
2004093951.tif 000022
【図１９】
2004093951.tif 000023
【図２０】
2004093951.tif 000024
【図２１】
2004093951.tif 000025
【図２２】
2004093951.tif 000026
【図２３】
2004093951.tif 000027
【図２４】
2004093951.tif 000028
【図２５】
2004093951.tif 000029
【図２６】
2004093951.tif 000030
【図２７】
2004093951.tif 000031
【図２８】
2004093951.tif 000032
【図２９】
2004093951.tif 000033
【図３０】
2004093951.tif 000034
【図３１】
2004093951.tif 000035
【図３２】
2004093951.tif 000036
【図３３】
2004093951.tif 000037
【図３４】
2004093951.tif 000038
【図３５】
2004093951.tif 000039
【図３６】
2004093951.tif 000040
【図３７】
2004093951.tif 000041
【図３８】
2004093951.tif 000042
【図３９】
2004093951.tif 000043
【図４０】
2004093951.tif 000044
【図４１】
2004093951.tif 000045